(57)【要約】平板からなる２枚の表装部がその一辺でそれぞれ背装部と連設されて一体となる表紙に対応する係止棒とから構成されて複数のシート穴部を中央に列状に設けられるシートを綴じるファイリング用具用綴具において、前記背装部はその表面に複数立設される鍵状係止部を備え、前記シートはそのシート穴部に前記鍵状係止部が貫通されて、係止棒はこの鍵状係止部の位置に対応する位置に複数の括れ部が設けられて、前記各括れ部が前記鍵状係止部に係止されることにより前記係止棒と表紙との間に前記シートが固定される。
2004096575.tif 000002
【特許請求の範囲】
【請求項１】
平板からなる２枚の表装部がその一辺でそれぞれ背装部と連設されて一体となる表紙に対応する係止棒とから構成されて複数のシート穴部を中央に列状に設けられるシートを綴じるファイリング用具用綴具において、
前記係止棒と前記表紙との間に前記シートが固定されるように配置されて前記係止棒と前記表紙との間隔を設定する間隔設定手段を備えることにより綴り込むシートの枚数に適したファイリングが可能なファイリング用具用綴具。
【請求項２】
間隔設定手段は、第一の面と第一の面に背反する第二の面とを有する係止棒がシートを固定する際の各面と表紙との距離によって間隔を設定することを特徴とする請求項１記載のファイリング用具用綴具。
【請求項３】
平板からなる２枚の表装部がその一辺でそれぞれ背装部と連設されて一体となる表紙に対応する係止棒とから構成されて複数のシート穴部を中央に列状に設けられるシートを綴じるファイリング用具用綴具において、
前記背装部はその表面に複数立設される鍵状係止部を備え、前記シートはそのシート穴部に前記鍵状係止部が貫通されて、係止棒はこの鍵状係止部の位置に対応する位置に複数の括れ部が設けられて、前記各括れ部が前記鍵状係止部に係止されることにより前記係止棒と表紙との間に前記シートが固定されるファイリング用具用綴具。
【請求項４】
平板からなる２枚の表装部がその一辺でそれぞれ背装部と連設されて一体となる表紙の表側に設けられる背装部より長さの短い帯状背板と背装部裏側に帯状背板に対応する係止棒とから構成されて複数のシート穴部を中央に列状に設けられるシートを綴じるファイリング用具用綴具において、
前記背装部は複数の背装穴部が設けられて、帯状背板はその表面に複数立設される鍵状係止部を備え、この鍵状係止部は背装部に設けられた複数の背装穴部を貫通し、前記シートはそのシート穴部に前記鍵状係止部が貫通されて、係止棒はこの鍵状係止部の位置に対応する位置に複数の括れ部が設けられて、前記各括れ部が前記鍵状係止部に係止されることにより前記係止棒と表紙との間に前記シートが固定されるファイリング用具用綴具。
【請求項５】
シートは、中央部が圧着されて複数の穴部が設けられるとともに上部に開口部が設けられた透明な袋状に形成されることを特徴とする請求項３または４記載のファイリング用具用綴具。
【請求項６】
係止棒は、径が小さい括れ部とこの括れ部より径の大きい押圧部とから構成されることを特徴とする請求項３または４記載のファイリング用具用綴具。
【請求項７】
係止棒は、その中央に薄板を挿入して水平移動させるための係着凹部が刻設されることを特徴とする請求項３または４記載のファイリング用具用綴具。
【請求項８】
括れ部は、結合溝が長軸方向に刻設された係止部と、曲面から構成される円形部とから構成されることを特徴とする請求項６記載のファイリング用具用綴具。
【請求項９】
結合溝は、円形曲面の点対称の４点が切欠けされることを特徴とする請求項８記載のファイリング用具用綴具。
【請求項１０】
押圧部は、括れ部の中心軸線が押圧部の中心軸より特定方向に偏って設けられることを特徴とする請求項６記載のファイリング用具用綴具。
【請求項１１】
鍵状係止部は、その間に係止棒を挟持する挟持部の先端に設けられる鍵部が互いに内側に突出されることを特徴とする請求項３または４記載のファイリング用具用綴具。
【請求項１２】
括れ部に刻設された係止部は、その中央に鍵部を係止するようにすべり止め突起部を突設させることを特徴とする請求項３または４記載のファイリング用具用綴具。
【請求項１３】
鍵状係止部は、対向する挟持部の間に挟持部より高さの低い板状のストッパ部が背装部より垂直に突設されることを特徴とする請求項３または４記載のファイリング用具用綴具。
【請求項１４】
係止棒の結合溝と結合溝底部は係合する帯状背板の鍵状係止部に合わせ鋭角に刻設することを特徴とする請求項３乃至１３記載のファイリング用具用綴具。
【請求項１５】
係止棒の片面周辺部にリブを設けるとともに径の違う２つの円を二部結合させた形状の穴部が複数形成されることを特徴とする請求項１または２記載のファイリング用具用綴具。
【請求項１６】
係止棒は、矩形状に形成されて外側四辺端部はそれぞれ一方の面である表面に対して垂直外向きにリブが突設されることを特徴とする請求項１または２記載のファイリング用具用綴具。
【請求項１７】
係止棒はその長軸方向に沿って複数個の穴部が予め定められた位置に穿設されて前記穴部は直径の大きい開放径穴部と直径の小さい係止径穴部が一部重なって形成されて、背装部より垂直に突設される突起部に設けられる係止溝部とが係止固定されることを特徴とする請求項２６または２７記載のファイリング用具用綴具。
【請求項１８】
係止棒は軸心を中心とする弧状曲面と平面とからなり背装部より垂直に突設される突起部に背装部の長軸方向と平行に貫通する円形穴部に貫入することを特徴とする請求項１または２記載のファイリング用具用綴具。
【請求項１９】
係止棒は矩形であってその長辺端部全体に突設される複数のリブの相対する面に溝が刻設されて背装部より垂直に突設される突起部に設けられる環状リブと咬合することを特徴とする請求項１記載のファイリング用具用綴具。
【請求項２０】
係止棒は一方の面の両長辺に前記面に垂直に突設されたリブと、前記リブの一方の端部にそれぞれ設けられる長方形の被掛止用穴部と、前記リブの他方の端部に穿設される第１ピン孔とを備え、背装部に垂直に相対して立設される平板と、前記平板の中央に開口される第２ピン孔と、第１ピン孔と第２ピン孔に貫通して係止棒を回動可能に固定するピンと、背装部の他端に設けられる固定部に背装部と垂直に突設されて側面に掛止部を備える第２平板とから構成されて前記掛止部が前記被掛止用穴部に掛止して係止棒を固定することを特徴とする請求項１記載のファイリング用具用綴具。
【請求項２１】
係止棒は複数の円形に刻装される刻装部と、前記刻装部中央に穿設されるスリットと、背装部より突設される環状リブを備える突部とを備えて係止棒を前記突部に固定されることを特徴とする請求項１または２記載のファイリング用具用綴具。
【請求項２２】
係止棒は可撓性を有する可撓性係止棒からなることを特徴とする請求項１乃至２１記載のファイリング用具用綴具。
【発明の詳細な説明】
【技術分野】  本発明は、ファイルに関し、特に綴じ穴を有するシートの着脱が容易な綴じ具であって穴綴じするとともに各部品への分解が容易なファイルに関する。
【背景技術】  従来のファイルとしては、例えば、可撓性はあるが伸縮性の小さい合成樹脂で被覆した綴り紐と、帯状板の上面に二条のリブを立設したファイル（実開昭６２−１６２０７０号）や、引出し用の切欠および嵌着用受部を設けた定板を有する箱体と、断面コ状の押さえ具と、箱体の嵌着用受部に嵌着させる嵌着用突部を有する止め具から構成されるファイル（実開昭５４−１５１４２０号）や、ファイル表紙と、係止部と被係止部を備えた帯状部材から形成されるファイル（特開昭６０−１９２６９６号）が提案されている。
これらの提案は、いずれも従来からのファイルの機能を備え、環境保全への対応についての考慮が一部なされているものである。
実開昭６２−１６２０７０号は、部品点数が少なく、金属部品を必要とせず、構成も簡単であるという利点を有するものであるが、ファイルを固定する綴り紐の穴が２つであるため、クリアファイル等のシートを装着した場合に、穴一つ当たりに加わる荷重が大きく固定が不安定であり機能的には不十分となる場合がある。
また、実開昭５４−１５１４２０号は、金属部品を必要とせず、機能的にも複数の穴を備えているため、着実にシート等を固定することができる。一方、部品点数が増加すると共に、着脱が容易とは言い難く、その構造も必ずしも簡単ではない。
さらに、特開昭６０−１９２６９６号は、部品点数も少なく、金属部品を使用することなく、簡単な構造で確実にシートが固定でき、中途からシートの抜き差しや追加が可能である。しかしながら、ファイルの上下から折り畳み式の帯状部材を利用するため、折曲部分に白化などの外観悪化が生じやすく、しかも強度的にも弱くなるという問題があった。
そこで、本発明は、ファイルとして十分機能するためにシートが確実に固定できると共に、中途からの抜差や追加が容易で、使い勝手がよく、なおかつ、部品点数が少なく、素材が多種とならず、構造が簡単な綴じ穴を有するシートの着脱が容易なファイルを提供することにある。
【発明の開示】
本発明は、平板からなる２枚の表装部がその一辺でそれぞれ背装部と連設されて一体となる表紙に対応する係止棒とから構成されて複数のシート穴部を中央に列状に設けられるシートを綴じるファイリング用具用綴具において、前記係止棒と前記表紙との間に前記シートが固定されるように配置されて前記係止棒と前記表紙との間隔を設定する間隔設定手段を備えることにより綴り込むシートの枚数に適したファイリングが可能である。
間隔設定手段は、第一の面と第一の面に背反する第二の面とを有する係止棒がシートを固定する際の各面と表紙との距離によって間隔を設定する。
平板からなる２枚の表装部がその一辺でそれぞれ背装部と連設されて一体となる表紙に対応する係止棒とから構成されて複数のシート穴部を中央に列状に設けられるシートを綴じるファイリング用具用綴具において、前記背装部はその表面に複数立設される鍵状係止部を備え、前記シートはそのシート穴部に前記鍵状係止部が貫通されて、係止棒はこの鍵状係止部の位置に対応する位置に複数の括れ部が設けられて、前記各括れ部が前記鍵状係止部に係止されることにより前記係止棒と表紙との間に前記シートが固定されるものである。
ここで、係止棒の括れ部に鍵状係止部が係止されて固定するが、以下の請求項のように鍵状係止部が括れ部を挟持することもできるし、さらに、鍵状係止部が鍔部を備える係止部であって、係止棒の括れ部に穴部を設けて係止させてもよい。
平板からなる２枚の表装部がその一辺でそれぞれ背装部と連設されて一体となる表紙の表側に設けられる背装部より長さの短い帯状背板と背装部裏側に帯状背板に対応する係止棒とから構成されて複数のシート穴部を中央に列状に設けられるシートを綴じるファイリング用具用綴具において、前記背装部は複数の背装穴部が設けられて、帯状背板はその表面に複数立設される鍵状係止部を備え、この鍵状係止部は背装部に設けられた複数の背装穴部を貫通し、前記シートはそのシート穴部に前記鍵状係止部が貫通されて、係止棒はこの鍵状係止部の位置に対応する位置に複数の括れ部が設けられて、前記各括れ部が前記鍵状係止部に係止されることにより前記係止棒と表紙との間に前記シートが固定される。
ここで、帯状背板を利用することで、物品の分解や分別が容易となり、使用後の環境対策が容易となる。
シートは、中央部が圧着されて複数の穴部が設けられるとともに上部に開口部が設けられた透明な袋状に形成されることを特徴とする。ここで、中央部の圧着は、熱溶着または超音波ウェルダーが一般的であるが、接着材を利用した接合でも良く、また、中央部全面を圧着する場合と、一部を溶着する場合を含む。
係止棒は、径が小さい括れ部とこの括れ部より径の大きい押圧部とから構成されることを特徴とする。ここで、括れ部と押圧部の長さの比は固定されるものではないが、押圧部が長ければよりしっかりシートが固定される。
係止棒は、その中央に薄板を挿入して水平移動させるための係着凹部が刻設されることを特徴とする。
括れ部は、結合溝が長軸方向に刻設された係止部と、曲面から構成される円形部とから構成される。
ここで、係止溝の長さは任意であるが、連設される円形部に近接するとともに溝の幅を狭め、また深さを浅くするとよりスムーズに係止溝内を鍵部が移動可能となる。
結合溝は、円形曲面の点対称の４点が切欠けされることを特徴とする。
この結合溝は、より好適には２つの溝が２組で対となる構成であることが望ましい。
押圧部は、括れ部の中心軸線が押圧部の中心軸より特定方向に偏って設けられること（偏心構造）を特徴とする。
ここで、特定方向とは、押圧方向される方向である。この偏りの度合いを調整することでシートの枚数の加減に対応可能である。
鍵状係止部は、その間に係止棒を挟持する挟持部の先端に設けられる鍵部が互いに内側に突出されることを特徴とする。ここで、突出は垂直に突出する場合と、傾斜角をもって突出と両方を備える。
括れ部に刻設された係止部は、その中央に鍵部を係止するようにすべり止め突起部を突設させることを特徴とする。
鍵状係止部は、対向する挟持部の間に挟持部より高さの低い板状のストッパ部が背装部より垂直に突設されることを特徴とする。このストッパ部の高さは、係止棒の円形部によって定まる値であり、任意に構成しうる。
係止棒の結合溝と結合溝底部は係合する帯状背板の鍵状係止部に合わせ鋭角に刻設することを特徴とする。鋭角に刻設することでより係合が強固なものとなる。
係止棒の片面周辺部にリブを設けるとともに径の違う２つの円を一部結合させた形状の穴部が複数形成されることを特徴とする。
係止棒は、矩形状に形成されて外側四辺端部はそれぞれ一方の面である表面に対して垂直外向きにリブが突設されることを特徴とする。
係止棒はその長軸方向に沿って複数個の穴部が予め定められた位置に穿設されて前記穴部は直径の大きい開放径穴部と直径の小さい係止径穴部が一部重なって形成されて、背装部より垂直に突設される突起部に設けられる係止溝部とが係止固定されることを特徴とする。
係止棒は軸心を中心とする弧状曲面と平面とからなり背装部より垂直に突設される突起部に背装部の長軸方向と平行に貫通する円形穴部に貫入することを特徴とする。
係止棒は矩形であってその長辺端部全体に突設される複数のリブの相対する面に溝が刻設されて背装部より垂直に突設される突起部に設けられる環状リブと咬合することを特徴とする。
係止棒は一方の面の両長辺に前記面に垂直に突設されたリブと、前記リブの一方の端部にそれぞれ設けられる長方形の被掛止用穴部と、前記リブの他方の端部に穿設される第１ピン孔とを備え、背装部に垂直に相対して立設される平板と、前記平板の中央に開口される第２ピン孔と、第１ピン孔と第２ピン孔に貫通して係止棒を回動可能に固定するピンと、背装部の他端に設けられる固定部に背装部と垂直に突設されて側面に掛止部を備える第２平板とから構成されて前記掛止部が前記被掛止用穴部に掛止して係止棒を固定することを特徴とする。
係止棒は複数の円形に刻装される刻装部と、前記刻装部中央に穿設されるスリットと、背装部より突設される環状リブを備える突部とを備えて係止棒を前記突部に固定されることを特徴とする。
係止棒は可撓性を有する可撓性係止棒からなることを特徴とする。
【図面の簡単な説明】  図１は本発明に係るファイリング用具用綴具の第１の実施例を示す全体図である。
図２は本発明に係るファイリング用具用綴具の第１の実施例を示す表紙の平面図である。
図３は本発明に係るファイリング用具用綴具における係止棒の第１の実施例を示す正面図である。
図４は本発明に係るファイリング用具用綴具における係止棒の実施例を示す側面図である。
図５は本発明に係るファイリング用具用綴具における係止棒の実施例を示す（ａ）Ａ−Ａ断面図、（ｂ）Ｂ−Ｂ断面図、（ｃ１）Ｃ−Ｃ断面図、（ｃ２）上底面が下底面より幅広であるＣ−Ｃ断面図、（ｃ３）上底面の幅と下底面の幅が略等しいＣ−Ｃ断面図、（ｄ）右側面図である。
図６は本発明に係るファイリング用具用綴具における係止棒の実施例を示す詳細図である。
図７は本発明に係るファイリング用具用綴具における帯状背板の実施例を示す正面図である。
図８は本発明に係るファイリング用具用綴具における帯状背板の実施例を示す側面図である。
図９は本発明に係るファイリング用具用綴具における帯状背板の実施例を示す（ａ）Ａ−Ａ断面図、（ｂ）Ｂ−Ｂ断面図である。
図１０は本発明に係るファイリング用具用綴具の実施例を示す背面図である。
図１１は本発明に係るファイリング用具用綴具の実施例を示す詳細図である。
図１２は本発明に係るファイリング用具用綴具の実施例を示す詳細図である。
図１３は本発明に係るファイリング用具用綴具の実施例を示し、（ａ）鍵状係止部５６が係止部３２にある際の断面図、（ｂ）鍵状係止部５６が円形部３４にある際の断面図、（ｃ）円形部３４が鍵状係止部５６から開放される断面図である。
図１４は本発明に係るファイリング用具用綴具の第１の実施例のシートを示す構成図である。
図１５は本発明に係るファイリング用具用綴具の第１の実施例の綴具部を複数にした例を示す表紙の平面図である。
図１６は本発明に係るファイリング用具用綴具の第１の実施例の綴具部を複数にした例を示す全体図である。
図１７は本発明に係るファイリング用具用綴具の第２の実施例を示し、（ａ）係止棒の裏面図、（ｂ）係止棒の正面図、（ｃ）係止棒の開放径穴部の断面図、（ｄ）係止棒の裏面の穴部拡大図（ｅ）帯状背板の側面図である。
図１８は本発明に係るファイリング用具用綴具の第２の実施例を示し、（ａ）シートが少ない場合の綴具部拡大図であり、突起部が開放径穴部側にある状態を示した図、（ｂ）シートが少ない場合の綴具部拡大図であり、突起部が係止径穴部で係止した状態を示した図、（ｃ）シート追加時の綴具部拡大図であり、突起部が係止径穴部で係止した状態を示した図である。
図１９は本発明に係るファイリング用具用綴具の第２の実施例を示し、（ａ）シートが少ない場合の綴具部断面図、（ｂ）シート追加時の綴具部断面図である。
図２０は、本発明に係るファイリング用具綴具の第３の実施例を示し、（ａ）係止棒の正面図、（ｂ）係止棒の断面図、（ｃ）帯状背板の側面図、（ｄ）係止部横断面図、（ｅ）シートが少ない場合の綴具部断面図、（ｆ）シート追加時の綴具部断面図である。
図２１は、本発明に係るファイリング用具用綴具の第４の実施例を示し、（ａ）係止棒の正面図、（ｂ）係止棒の断面図、（ｃ）帯状背板の側面図、（ｄ）シートが少ない場合の綴具部断面図、（ｅ）シート追加時の綴具部断面図である。
図２２は、本発明に係るファイリング用具用綴具の第５の実施例を示し、（ａ）ファイルの構成図、（ｂ）係止棒の支点拡大図、（ｃ）掛止部拡大図、（ｄ）シートを綴じて係止棒を閉じた状態の突起部を含む部分の断面図、（ｅ）係止棒が閉じられている状態の掛止部を含む位置の断面図である。
図２３は、本発明に係るファイリング用具用綴具の第６の実施例を示し、（ａ）ファイルの構成図、（ｂ）可撓性係止棒の刻装部の拡大図（ｃ）シートが少ない場合の綴具部断面図、（ｄ）シート追加時の綴具部断面図である。
【発明を実施するための最良の形態】  本発明のその他の詳細、利点および特徴については、添付図面を参照しながら以下に記す６つの実施例によって明らかにされる。
以下、本発明の第１の実施例について図面を参照して詳細に説明する。
ファイル２は、図１に示すようにファイル本体４とファイリング用具用綴具６とを備えている。ファイル本体４とファイリング用具用綴具６は合成樹脂成形品であり、ファイル本体は押出し成形もしくは射出成形、ファイリング用具用綴具は、射出成形等により一体成形されたものである。ファイル本体４は、縦長矩形状の背装部８と、この背装部８を挟んでその長辺側両側に連設された縦長矩形状の一対の表装部１０、１２とを備えている。図２に示すように、背装部８と表装部１０、１２の境界にはファイル本体４の厚みより肉厚が薄くなったＶ字溝からなる第１ヒンジ１４が形成され、この第１ヒンジ１４により表装部１０、１２が背装部８に対して容易に折り曲げ可能、すなわち、開閉可能とされている。
一対の表装部１０、１２における背装部８側の近傍には、同じく断面Ｖ字状の第２ヒンジ１６が第１ヒンジ１４と所定間隔を開けて、かつ、第１ヒンジ１４に平行に形成され、この第２ヒンジ１６により、各表装部１０、１２が折り曲げ可能とされている。背装部８の短辺方向の中央部に長辺方向１列に背装穴部１８が複数設けられる。背装穴部１８は、所定の間隔を開けて配置される。
ファイリング用具用綴具６は、可撓自在な複数箇所で係止可能な可撓性係止棒２０と複数の被係合部を備える帯状背板２２とから構成される。可撓性係止棒２０は、図３〜６に示すように全長が背装部８の長辺とほぼ同一の長さであり、一方の端部に扁平な把持部２４を有し、もう一端に係止端部２６を備える。可撓性係止棒２０の把持部２４と係止端部２６との間には複数の括れ部２８と押圧部３０が交互に連結されて配置される。
この括れ部２８は、背装部８における背装穴部１８に対応する位置に設けられる。括れ部２８は、結合溝が長軸方向に刻設された係止部３２と、曲面から構成される円形部３４とが連結される。係止部３２は、図３のＡ−Ａ断面図である図５（ａ）に示されるように、４隅に結合溝３６が刻設され円形表面３８と結合溝３６が円周方向には交互に配置される。結合溝３６は、括れ部２８の軸方向については、括れ部２８のほぼ中央まで刻設され、押圧部３０側である一端が幅広状に刻まれるのに対して、円形部３４側は、隣接する結合溝３６が隣接しながら先細状に刻まれる（図６）。結合溝３６は結合溝底部５２と直角に刻設させても良いが鋭角に刻設し、係合する帯状背板２２の鍵部６０と角度を合わせることにより、その係合を強固にすることが好ましい。
円形部３４は、図５（ｂ）のＢ−Ｂ断面図に示されるが如く、一切、切欠がなく、滑らかな円形状表面からなる。ここで、係止部３２は円形部３４と同一半径であるか、あるいは係止部３２の半径は円形部３４の半径よりも小さい。図５では、同一半径の例が示されている。また、係止部３２と円形部３４は同軸上に配置される。
押圧部３０は、図５（ｃ１）のＣ−Ｃ断面図に示されるように所定のＲを有する２つのＲ面４４と両長辺でそれぞれ連設される第１底面４６と、Ｒ面４４と接続される２つのテーパ面４８と両長辺でそれぞれ連設されるとともに第１底面４６と平行するように設けられる第２底面５０とを有する。ただし、断面形状は図５（Ｃ１）に限定されるものではなく、第１底面と第２底面また、押圧部３０の中心軸は、連結される括れ部２８の中心軸と同軸上ではなく、括れ部２８の中心軸が括れ部２８の外周が第１底面４６と接する程度に第１底面４６側へずれるよう連設される（偏心構造）（図５（Ｃ２）、（Ｃ３）参照）。
図３に示すように、可撓性係止棒２０の複数の括れ部２８の係止部３２には、その中央に滑り止め突起部３３が突設されている。これは可撓性係止棒２０を係止させた場合に、可撓性係止棒２０が鍵状係止部５６の鍵部６０と係止することで左右に動かぬようにするための滑り止めである。滑り止め突起部３３は、全ての括れ部２８に設けられてもよいし、中央の二つくらいの括れ部２８にのみ設けられてもよい。
また、可撓性係止棒２０には、複数の押圧部３０のうち中央の押圧部３０に係着凹部３５が可撓性係止棒２０の長手方向に垂直に刻設される。この係着凹部３５によって可撓性係止棒２０をスライドさせる際、コイン等を使用すると容易にスライドさせることができる。
一方、ファイリング用具用綴具６のもう一方の構成要素である帯状背板２２は、図７〜９に示すように底板部５４上に複数の鍵状係止部５６が、括れ部２８及び背装穴部１８に対応する位置毎に立設される。この鍵状係止部５６は、２枚の挟持板５８が、底板部５４の短辺方向に並立して互いに対向するように底板部５４上に立設される。挟持板５８は、その上端側部に鍵部６０が垂直に突設され、両挟持板５８の鍵部６０は互いに内向きに向き合うように突設される。または、鍵部６０の端部を下方向に下げて結合溝底部５２をこの鍵部６０と平行となるように挟持板５８に対して鋭角に刻設し、鍵部６０と結合溝底部５２を係合させることにより、その係合を強固にしてもよい。挟持板５８は、その根本では隣接する挟持板５８同士が側板で連設される。また、この２枚の挟持板５８の間には、ストッパ部６２が挟持板５８と平行に立設され、その高さは、鍵部６０の下端より円形部３４の直径程度下となる高さに設定される。また、挟持板５８とストッパ部６２を含む部分である鍵状係止部５６の底面の直径が、背装穴部１８の直径より小さく設定され、鍵状係止部５６が背装穴部１８に挿通可能となるように設計される。ここで、底面の直径とは挟持板５８とストッパ部６２の底板部５４と接合する形状と接する最小の円の直径である。
図８に示す鍵状係止部５６は、ストッパ部６２と底板部５４との接合部分の片側に表装部を係止するための表装係止切欠部６１が設けられている。
このファイルに挿入されるシート６４は、例えば縦長矩形状の中央部６６と、この中央部６６を挟んでその長辺側両側に連設された縦長矩形状の２枚のシートが１辺を除き溶着される袋部６８を１個ずつ備えている。この中央部６６は溶着され、その中央に、括れ部２８と同一間隔すなわち、背装穴部１８と同一間隔に配置されるシート穴部７０が設けられる。シート６４の中央部６６の最下部に、シート６４の上下を確認するためのシート切欠部７１が設けられている。この袋部は、書類等を挿入するための透過フィルムで作成される（図１４）。
以上の要素から構成されるファイル２の使用法を図１０〜１４を用いて、その使用方法について示す。まず、ファイル本体４の背装部８に設けられた背装穴部１８に、帯状背板２２に設けられた鍵状係止部５６が挿入される。さらに、本ファイル２に挿入されるシート６４のシート穴部７０に鍵状係止部５６が挿入される。これで、鍵状係止部５６にファイル本体４とシート６４が固定される。
次に、突出する各鍵状係止部５６に各円形部３４が対応するように可撓性係止棒２０を帯状背板２２上に配置する。そこで、各円形部３４をすべて押圧することで円形部３４が鍵状係止部５６内に挟持される。このとき、円形部３４はストッパ部６２に接触して停止する（図１３（ｂ））。円形部３４の径を係止部３２の径より小さくした例を示しており（図１３（ｂ）、（ｃ））、円形部３４の径が小さくなると鍵状係止部５６より着脱しやすくなる。
さらに、可撓性係止棒２０の把持部２４を水平方向に押圧して、可撓性係止棒２０を軸方向にスライドさせると、鍵部６０の位置が円形部３４から係止部３２へ移動する。このとき、鍵部６０は結合溝３６を咬止する。この状態が図１３（ａ）に示される状態である。
次に、シート６４の枚数が多い場合は、可撓性係止棒２０の把持部２４を水平方向に引いて、可撓性係止棒２０を軸方向にスライドさせると、鍵部６０の位置が係止部３２から円形部３４へ移動する（図１１）。ここで、押圧部３０の第１底面４６がシート６４を押圧するよう下面に配置されると枚数の多いシート６４を固定できる。すなわち、円形部３４の中心軸が押圧部３０の中心軸とずれているため、第１底面４６を下部とすることで回転中心と第１底面４６の距離が短く、第１底面４６の両端がＲ面４４であるためＲ面４４を含めて有効に押圧部３０がシート６４を固定する。
一方、シート６４の枚数が少ない場合は、押圧部３０の第２底面５０がシート６４を押圧するよう下面に配置されると枚数の少ないシート６４を固定できる。この場合は、第２底面５０を下部とすることで、回転中心と第２底面５０の距離が長くなり有効に押圧部３０がシート６４を固定する。以上の底部を決定した後は、可撓性係止棒２０の把持部２４を水平方向に押圧して、可撓性係止棒２０を軸方向にスライドさせると、鍵部６０の位置が円形部３４から係止部３２へ移動し、鍵部６０を結合溝３６で咬止させる。
以上より、シート６４の枚数の多少に応じて可撓性係止棒２０により最適な押圧と固定が可能となる。
次に、シート６４をファイル２から開放するためには、まず、可撓性係止棒２０の係止端部２６を水平方向に押圧して、可撓性係止棒２０を軸方向にスライドさせると、鍵部６０の位置が係止部３２から円形部３４へ移動する。この状態で、把持部２４を引き上げると、容易に端部から順に可撓性係止棒２０の各円形部３４が各鍵状係止部５６から開放される（図１２及び図１３Ｃ）。この方法により、全ての円形部３４が開放された後に、目的のシート６４の脱着が可能となる。
すなわち、本発明に係るファイリング用具用綴具を利用することで、容易にシートの脱着が可能となる。また、複数の鍵状係止部５６でシート６４が固定されるため、ファイリング用具用綴具６が外れることによる、シート６４の離散は発生しない。
また、ファイル２の分別廃棄やリサイクルに当たっては、可撓性係止棒２０を開放後にシート６４を外し、ファイル本体４と帯状背板２２とに分解されるので、容易に廃棄可能であるとともにリサイクルも容易である。また、何れの素材も同一樹脂等で構成できるため、この点でも廃棄が容易である。
上述のような本実施の形態によれば、次のような効果がある。
円形部３４の中心軸が押圧部３０の中心軸をずらしたことにより、シート６４の多少にかかわらず、シート６４の固定が可能となる。また、可撓性係止棒２０と帯状背板２２を組合わせることで確実にシート６４が固定され、一方で容易に着脱もできる。
さらに、ファイル２を構成する部品は、可撓性係止棒２０と帯状背板２２とファイル本体４と少ないため、部品コストおよび製造コストともに低減できる。また、構造も簡単であるため、構造要因の製造工程が削減されるとともに、使用時の故障や破損も低減できる。
その上、ファイル２を構成する部品は、いずれも樹脂で形成され、金属部品を一切必要としないため、製造工程が削減されることによるコストの低減と、廃棄及びリサイクルが容易であり、また本体の軽量化を図ることができる。また樹脂に混合させる染料を変更することで、様々な色彩を含むデザインの採用が可能となる。
なお、本発明は前記実施形態に限定されるものではなく、本発明の目的を達成できる範囲での変形、改良は、本発明に含まれるものである。例えば、前記実施形態において、帯状背板２２とファイル本体４とは別々の構成としたが、これに限らない。すなわち、ファイル本体４に予め鍵状係止部５６を立設させて一体化させることも可能である。確実に可撓性係止棒２０が係止できればいずれの構成でもよい。ただし、本実施形態のように別々の構成とすることで、射出成型用金型をいたずらに複雑化させないことによるコスト低減や、別物品とすることによる剛性の維持ができることで、本実施例が好ましい。
本発明の実施例では、鍵状係止部５６および括れ部２８の数を６個としたが、この個数に限定されるものではなく、２個以上ならば構成可能であるが３個以上が望ましく、施装可能な数であればいかなる数であってもよい。
また、１つのファイル本体に複数組の綴具部を平行に設けてより多くのシートを綴じることが可能になる。図１５には、２組の綴具部を設けた例のファイル本体８０を示す。背装部８２には２列の背装穴部８４が背装部８２の長辺方向に平行に設けられており、単一のヒンジ８３で表装部８８と背装部８２とが折れ曲がるように構成されている。図１６には、ファイルの表装部８８に２組のシート８６を綴じた場合の全体図を示す。
さらに、押圧部３０の断面は２つの平面を含む形状としたが、一方をＲ面とすることや、平面の数をさらに増加させて３面や４面とすることでより、枚数による押圧方法の調整が可能となるよう構成してもよい。
そして、鍵部６０と切欠２２との突設角度及び刻設角度を急傾斜としてその係止を強固な固定に変更することもできる。
また、本発明を構成する合成樹脂は、ファイルを成形できるものであれば特に限定はない。例えば、ポリプロピレン、プロピレン−エチレンダム共重合体、プロピレン−エチレンブロック共重合体、ポリエチレン等のポリオレフィン系樹脂を採用することもできる。さらに、これら各樹脂にタルクや炭酸カルシウム等の充填材、酸化チタン等の着色剤、その他の安定剤、核材等を添加してもよい。
本発明のファイリング用具用綴具の第２の実施例を図１７から１９に示す。
図１７（ａ）は係止棒１００の背面図であり、（ｂ）は係止棒１００の正面図、（ｃ）はＡ−Ａ‘線の断面図である。矩形状の係止棒１００の外側四辺端部はそれぞれ一方の面である背面１０５に対して垂直外向きにリブ１０２が突設される。係止棒１００の背面１０５に、係止棒１００の長軸方向に沿って穴部１０３が複数個が予め定められた位置に穿設されている。穴部１０３は、直径の大きい開放径穴部１０４と直径の小さい係止径穴部１０６とが一部重なった状態に形成される。この開放径穴部１０４と係止径穴部１０６の接合部にはいずれの直径よりも小さい幅Ｙを有する括れ部１０９が設けられる。この括れ部１０９の両外側にたわみ用肉盗み穴部１０１が刻設されている（図１７（ｄ））。
図１７（ｅ）は帯状背板１２０の側面図である。帯状背板１２０は、係止棒１００における穴部１０３と同数の円筒形の突起部１１６が底板部１１８の一方の面に対して垂直方向に穴部１０３に対応する位置に突設される。
突起部１１６は上から頭頂部１１０と、その下部に頭頂部１１０より直径が小さい係止溝部１１２と、さらにその下に軸部１１４とから構成される。係止溝部１１２の直径Ｚは括れ部１０９の幅Ｙより若干大きく設定されている。
係止棒１００は可撓性の材質で構成することもできるが、好適には剛性を有する材質で構成される。
次に図１８、１９を用いて本実施例の作用について説明する。
図１８（ａ）には、係止棒１００の正面が外向きとなり突起部１１６が開放径穴部１０４側に位置する状態、（ｂ）係止棒１００の正面が外向きとなり突起部１１６が係止径穴部１０６側に位置する状態を示している。図１８（ｃ）には、係止棒１００の背面が外向きとなり突起部１１６が係止径穴部１０６側に位置する状態を示す。
表装部１２２の背装部とシート１２４には帯状背板１２０の突起部１１６に対応した位置に穴が設けられている。突起部１１６を表装部１２２の穴部とシートの穴部に挿入した後、さらに係止棒１００の開放径穴部１０４に挿入し、係止棒１００を長軸方向の係止径穴部１０６方向へスライドさせて突起部１１６を係止径穴部１０６に係止固定する。
図１９（ａ）は図１８（ａ）のＢ−Ｂ‘線の断面図であり、シート１２４が少ない場合に綴じられている状態である。係止棒１００は正面１０７を表装部１２２に対して外側にして綴じられている。図１９（ｂ）は同じく図１８（ｂ）のＣ−Ｃ’線の断面図である。シートが多い場合、係止棒１００の表裏を逆にして背面１０５を表装部１２２に対して外側にして綴じられている。
係止棒１００の穴部１０３は括れ部１０９が設けられていることにより、開放から係止状態、係止状態から開放へ係止棒１００をスライドさせて操作する際、適度な乗り上げ感を作り出している。
上記スライド操作時の適度な乗り上げ感と繰り返しの摩擦による乗り上げ感の変化を少なくするため、係止棒１００の外側にたわみ用肉盗み穴１０１が設けられる。
係止棒１００は片面が周辺部が持ち上がったリブ構造に設けられているため、綴じた状態でそのリブ１０２が突起部１１６の溝部１１２より表装部１２２側に向いているとき（図１９（ａ））、より少ないシートを動かないように綴じることができ、リブ１０２が溝部１１２より上に向いているとき（図１９（ｂ））、より多くのシートを綴じることができる。
本発明のファイリング用具用綴具の第３の実施例を図２０に示す。
図２０（ａ）は係止棒１４０の正面図である。係止棒１４０は一端にフック用穴部１４２が穿設されている。もう片方の一端には係止棒１４０より少し幅の広いストッパー１５６が設けられている。図２０（ｂ）はＡ−Ａ’線の断面図である。係止棒１４０はその断面が半円形であり、曲面１４４と平面１４６から構成される。図２０（ｃ）は帯状背板１４８の側面図である。底板部１５２上に、予め定められた間隔で突起部１５０が底板部１５２に対して垂直に突設される。突起部１５０はその上部に底板部１５２の長軸方向と平行に円形穴部１５４が穿設される。底板部１５２の一方の端部にフック部１６０が突起部１５０と平行に突設される。このフック部１６０をフック用穴部１４２に挿入し係止棒を固定する。
図２０（ｄ）（ｅ）（ｆ）で本実施例の作用について説明する。
係止棒１４０がフック用穴部１４２のある端部からフック部１６０とは反対側の突起部１５０の円形穴部１５４から底板部１５２に平行に挿入される。係止棒１４０のフック用穴部１４２を有する先端がフック部１６０近傍まで到達すると、係止棒１４０のフック用穴部１４２にフック部１６０が挿入される。その際のフック部１６０と隣接する突起部１５０の断面図を図１８（ｄ）に示す。フック用穴部１４２にフック部１６０を挿入し、係止棒１４０を固定する。ここで、フック部１６０の先端の係止部１６１はフック部１６０の中央より径が太くフック用穴部１４２に挿入後係止する。
図２０（ｅ）（ｆ）は突起部頂部から底板部１５２方向に底板部１５２の長手方向と垂直に切断した場合の断面図を示し、（ｅ）はシート１６２が少ない場合に綴じられている状態を示している。係止棒１４０はその曲面１４４が表装部１６６側に面するように円形穴部１５４に挿入されている。曲面１４４を表装部１６６側に面するようにすると円形穴部１５４において係止棒１４０が表装部１６６側に配置されて係止棒１４０と表装部１６６の間隔が短くなる。図２０（ｆ）はシートが多い場合、係止棒１４０の表裏を逆にして、つまり、曲面１４４を表装部１６６に対して外側にして円形穴部１５４に挿入される。平面１４６を表装部１６６側に面するようにすると円形穴部１５４において係止棒１４０は表装部１６６と反対側に配置されて挿入することで係止棒１４０と表装部１６６の間隔が長くなる。つまり、係止棒１４０の断面を半円形にすることで、表裏で背装部表面と係止棒１４０との距離を変えられる。
係止棒１４０は可撓性に富んだ素材で構成されてもよいが、より好適にはフック部１６０を樹脂弾性で係止、解除するためナイロン等の弾性に富んだ剛性樹脂素材を使用するのが望ましい。
本発明のファイリング用具用綴具の第４の実施例を図２１に示す。
図２１（ａ）は係止棒１８０の正面図であり、図２１（ｂ）はＡ−Ａ’線の断面図である。係止棒１８０は一方の面１８１の両長辺に前記面１８１に垂直に突設されたリブ１８３，１８５を備え、両リブ１８３，１８５の相対する面に２本の溝部１８２，１８４が刻設される。２本の溝部のうち前記面１８１に近い方を内側溝部１８２、前記面と離れた方を外側溝部１８４とする。
図２１（ｃ）は帯状背板１８６の側面図である。底板部１８８上の予め定められた間隔で円筒形の突起部１９０が一方の面に垂直に突設される。突起部１９０はその頂部とその下部に２枚の環状リブが設けられている。その環状リブを突起部１９０の頂部から順に第１環状リブ１９２、第２環状リブ１９４とする。係止棒１８０の内側溝部１８２と外側溝部１８４に咬合するよう同等のサイズに設定される。
次に本実施例の作用について説明する。
係止棒１８０は帯状背板１８６のいずれか一方の端部の突起部１９０からスライドさせて係止及び開放させる。
図２１（ｄ）では、シートの枚数が少ない場合、突起部１９０の頂部が面１８１と接するように突起部１９０が係止棒１８０に挿入されており、内側溝部１８２と第１環状リブ１９２、外側溝部１８４と第２環状リブ１９４が咬合する。図２１（ｅ）では、シート枚数を増やした場合、突起部１９０の頂部と面１８１とが隔離した状態で挿入する。つまり、外側溝部１８４と第１環状リブ１９２が咬合する。
係止棒１８０は合成樹脂による射出成形でも可能であるが、初期投資金額の安価な押し出し成形が好適である。また、係止棒１８０は可撓性を有する素材から構成されることもできるが、好適には剛性を有する素材から構成されることが望ましい。
本発明のファイリング用具用綴具の第５の実施例を図２２を用いて説明する。
図２２（ａ）に示すように、係止棒２００は一方の面の両長辺に前記面に垂直に突設されたリブ２０４、２０６を備え、両リブ２０４、２０６の一方の端部にそれぞれ長方形の被掛止用穴部２０２が設けられる。係止棒２００の他方の端部にも、両リブ２０４，２０６を貫通する貫通孔２２１、２２３が穿設される。一方、表紙２０９の背装部に垂直に平板２２５，２２７が相対して立設される。前記平板２２５，２２７の中央にも貫通孔２２１，２２３に対応する貫通孔２２９、２３１が開口され、貫通孔２２１、２２３と貫通孔２２９、２３１はピン２３３により係止棒２００がピン２３３を中心に回動可能に固定される。
表紙２０９の背装部及びシート２１６の背装部に対応する部分には複数の穴部２１８が予め定められた間隔で設けられる。帯状背板２０７は、底板部２０８上に円筒形の突起部２１４が穴部２１８と同数、穴部２１８に対応する間隔で設けられる。
図２２（ｃ）に、固定具２１０の拡大図を示す。固定具２１０は係止棒２００の被掛止用穴部２０２に掛止するための２枚の平板部２１３を備えている。表紙２０９に取り付けられる底部２１１から垂直に２枚の平板部２１３が係止棒２００と平行に突設され、その平板部２１３の上部には両平板部と互いに反対側に向けてテーパー状の掛止部２１２が設けられている。２枚の平板部２１３の間隔は係止棒２００のリブ２０４，２０６の間に挿入できる幅に設定されている。
底板部２０８に平板２２５、２２７と反対側端部であって固定具２１０よりさらに所定の間隔を設けて押え部２１５が立設される。図２２（ｃ）に示すように、押え部２１５の両側面に平板２２５，２２７方向へ側面テーパー部２２２が形成される。傾斜方向は係止棒２００の長軸方向に向かってその先端がすぼまるようにテーパーが形成される。
図２２（ｄ）（ｅ）で本実施例の作用について説明する。
表紙２０９とシート２１６の穴部２１８を突起部２１４に挿入し、ピン２３３を軸に係止棒２００が回動して被係止用穴部２０２が平板部２１３に掛止し、リブ２０４、２０６がシート２１６を押圧することによってシート２１６を固定する。シート２１６を綴じて係止棒２００を閉じた状態の突起部２１４を含む部分の断面図を図２２（ｄ）に示す。
図２２（ｅ）は係止棒２００が閉じられている状態の掛止部２１２を含む位置の断面図である。掛止部が被掛止用穴部２０２に掛止され係止棒２００がはずれるのを防ぐ。
係止棒２００を掛止部２１２から外す場合、押え部２１５を背面から係止棒２００に押圧すると、両側面テーパー部２２２が係止棒２００のリブ２０４，２０６を外方向にたわませる。このため被掛止用穴部２０２が掛止部２１２から開放されて、容易に係止棒２００を取り外すことができる。
係止棒２００は可撓性を有する材質で構成されることもできるが、好適には剛性を有する材質で構成されることが望ましい。
本発明のファイリング用具用綴具の第６の実施例を図２３（ａ）〜（ｄ）を用いて説明する。
可撓性係止棒２４０は図２３（ａ）に示すように予め定められた間隔で複数の開口部２４４が設けられている。開口部２４４は円形状に刻装されている。その刻装部２４９の中央に丸穴部２４８が設けられ、各丸穴部２４８と同軸状に、可撓性係止棒２４０の長軸方向と平行に直線状に２つのスリット部２４６、２４７が設けられている（図２３（ｂ））。シート２５０及び表紙２５２の背装部には開口部２４４と同数で同じ間隔の穴部２４２、２４３が設けられている。
帯状背板２６０は底板部２６８と突起部２６２からなり、突起部２６２は軸部２６６の先端にテーパー状のリブ２６４とからなる。リブ２６４の径はスリット部２４６，２４７の長さＺとほぼ同等に設定する。軸部２６６の径は丸穴部２４８の径とほぼ同程度に設定する。
本実施例の作用を説明する。
帯状背板２６０の突起部２６２を表紙２５２及びシート２５０の穴部２４３、２４２に挿入し、可撓性係止棒２４０の開口部２４４に挿入する。スリット部２４６，２４７が開くことにより、丸穴部２４８より径の大きいリブ２６４を挿入することができ、またスリット部２４６，２４７が閉じているとき突起部２６２から可撓性係止棒２４０がはずれるのを防ぐ。
ファイルを係止する際に可撓性係止棒２４０の表裏を使い分けることにより、綴じることのできるシートの厚みが変わる。図２３（ｃ）で、シートの枚数が少ない場合の綴具部断面図を示す。刻装部２４９の面をシート側にすると突起部２６２のリブ２６４の下面が刻装部２４９と反対側の面に接し、刻装部の深さ分だけ表紙２５２と可撓性係止棒２４０との距離が小さくなり、少ない枚数のシート２５０を綴じることができる。図２３（ｄ）で、シート追加時の綴具部断面図を示す。刻装部２４９と反対側の面をシート側にすると開口部２４４にはめ込まれたリブ２６４の下面が刻装部２４９の底面に接し、可撓性係止棒２４０と表紙２５２との距離が大きくなって多くのシート２５０を綴じることができる。
可撓性係止棒２４０はポリエチレン等の柔らかい素材で構成される。
【図１】
2004096575.tif 000003
【図２】
2004096575.tif 000004
【図３】
2004096575.tif 000005
【図４】
2004096575.tif 000006
【図５】
2004096575.tif 000007
【図６】
2004096575.tif 000008
【図７】
2004096575.tif 000009
【図８】
2004096575.tif 000010
【図９】
2004096575.tif 000011
【図１０】
2004096575.tif 000012
【図１１】
2004096575.tif 000013
【図１２】
2004096575.tif 000014
【図１３】
2004096575.tif 000015
【図１４】
2004096575.tif 000016
【図１５】
2004096575.tif 000017
【図１６】
2004096575.tif 000018
【図１７】
2004096575.tif 000019
【図１８】
2004096575.tif 000020
【図１９】
2004096575.tif 000021
【図２０】
2004096575.tif 000022
【図２１】
2004096575.tif 000023
【図２２】
2004096575.tif 000024
【図２３】
2004096575.tif 000025
【手続補正書】
【提出日】平成17年7月22日(2005.7.22)
【手続補正００１】
【補正対象書類名】特許請求の範囲
【補正対象項目名】請求項１
【補正方法】変更
【補正の内容】
【請求項１】平板からなる２枚の表装部がその一辺でそれぞれ背装部と連設されて一体となる表紙に対応する係止棒とから構成されて複数のシート穴部を中央に列状に設けられるシートを綴じるファイリング用具用綴具において、
前記係止棒と前記表紙との間に前記シートが固定されるように配置されて綴り込むシートの枚数に合わせて前記係止棒と前記表紙との間隔を任意に設定してファイリングを行なう間隔設定手段を備えるファイリング用具用綴具。


【手続補正００２】
【補正対象書類名】特許請求の範囲
【補正対象項目名】請求項３
【補正方法】変更
【補正の内容】
【請求項３】前記背装部はその表面に複数立設される鍵状係止部を備え、前記シートはそのシート穴部に前記鍵状係止部が貫通されて、前記係止棒はこの鍵状係止部の位置に対応する位置に複数の括れ部が設けられて、前記各括れ部が前記鍵状係止部に係止されることにより前記係止棒と表紙との間に前記シートが固定される請求項１または２記載のファイリング用具用綴具。


【手続補正００３】
【補正対象書類名】特許請求の範囲
【補正対象項目名】請求項４
【補正方法】変更
【補正の内容】
【請求項４】前記表紙の表側に設けられる背装部より長さの短い帯状背板と背装部裏側に帯状背板に対応する係止棒とから構成される請求項１または２記載のファイリング用具用綴具において、
前記背装部は複数の背装穴部が設けられて、帯状背板はその表面に複数立設される鍵状係止部を備え、この鍵状係止部は背装部に設けられた複数の背装穴部を貫通し、前記シートはそのシート穴部に前記鍵状係止部が貫通されて、前記係止棒はこの鍵状係止部の位置に対応する位置に複数の括れ部が設けられて、前記各括れ部が前記
鍵状係止部に係止されることにより前記係止棒と表紙との間に前記シートが固定される請求項１または２記載のファイリング用具用綴具。


【手続補正００４】
【補正対象書類名】特許請求の範囲
【補正対象項目名】請求項１７
【補正方法】変更
【補正の内容】
【請求項１７】係止棒はその長軸方向に沿って複数個の穴部が予め定められた位置に穿設されて前記穴部は直径の大きい開放径穴部と直径の小さい係止径穴部が一部重なって形成されて、背装部より垂直に突設される突起部に設けられる係止溝部とが係止固定されることを特徴とする請求項１５または１６記載のファイリング用具用綴具。




【手続補正書】
【提出日】平成17年10月18日(2005.10.18)
【手続補正１】
【補正対象書類名】特許請求の範囲
【補正対象項目名】全文
【補正方法】変更
【補正の内容】
【特許請求の範囲】
【請求項１】
平板からなる２枚の表装部がその一辺でそれぞれ背装部と連設されて一体となる表紙に対応する係止棒とから構成されて複数のシート穴部を中央に列状に設けられるシートを綴じるファイリング用具用綴具において、
前記係止棒と前記表紙との間に前記シートが固定されるように配置されて綴り込むシートの枚数に合わせて前記係止棒と前記表紙との間隔を任意に設定してファイリングを行なう間隔設定手段を備えるファイリング用具用綴具
【請求項２】
間隔設定手段は、第一の面と第一の面に背反する第二の面とを有する係止棒がシートを固定する際の各面と表紙との距離によって間隔を設定することを特徴とする請求項１記載のファイリング用具用綴具。
【請求項３】
前記背装部はその表面に複数立設される鍵状係止部を備え、前記シートはそのシート穴部に前記鍵状係止部が貫通されて、前記係止棒はこの鍵状係止部の位置に対応する位置に複数の括れ部が設けられて、前記各括れ部が前記鍵状係止部に係止されることにより前記係止棒と表紙との間に前記シートが固定される請求項１または２記載のファイリング用具用綴具。
【請求項４】
前記表紙の表側に設けられる背装部より長さの短い帯状背板と背装部裏側に帯状背板に対応する係止棒とから構成される請求項１または２記載のファイリング用具用綴具において、
前記背装部は複数の背装穴部が設けられて、帯状背板はその表面に複数立設される鍵状係止部を備え、この鍵状係止部は背装部に設けられた複数の背装穴部を貫通し、前記シートはそのシート穴部に前記鍵状係止部が貫通されて、前記係止棒はこの鍵状係止部の位置に対応する位置に複数の括れ部が設けられて、前記各括れ部が前記鍵状係止部に係止されることにより前記係止棒と表紙との間に前記シートが固定される請求項１または２記載のファイリング用具用綴具。
【請求項５】
シートは、中央部が圧着されて複数の穴部が設けられるとともに上部に開口部が設けられた透明な袋状に形成されることを特徴とする請求項３または４記載のファイリング用具用綴具。
【請求項６】
係止棒は、径が小さい括れ部とこの括れ部より径の大きい押圧部とから構成されることを特徴とする請求項３または４記載のファイリング用具用綴具。
【請求項７】
係止棒は、その中央に薄板を挿入して水平移動させるための係着凹部が刻設されることを特徴とする請求項３または４記載のファイリング用具用綴具。
【請求項８】
括れ部は、結合溝が長軸方向に刻設された係止部と、曲面から構成される円形部とから構成されることを特徴とする請求項６記載のファイリング用具用綴具。
【請求項９】
結合溝は、円形曲面の点対称の４点が切欠けされることを特徴とする請求項８記載のファイリング用具用綴具。
【請求項１０】
押圧部は、括れ部の中心軸線が押圧部の中心軸より特定方向に偏って設けられることを特徴とする請求項６記載のファイリング用具用綴具。
【請求項１１】
鍵状係止部は、その間に係止棒を挟持する挟持部の先端に設けられる鍵部が互いに内側に突出されることを特徴とする請求項３または４記載のファイリング用具用綴具。
【請求項１２】
括れ部に刻設された係止部は、その中央に鍵部を係止するようにすべり止め突起部を突設させることを特徴とする請求項３または４記載のファイリング用具用綴具。
【請求項１３】
鍵状係止部は、対向する挟持部の間に挟持部より高さの低い板状のストッパ部が背装部より垂直に突設されることを特徴とする請求項３または４記載のファイリング用具用綴具。
【請求項１４】
係止棒の結合溝と結合溝底部は係合する帯状背板の鍵状係止部に合わせ鋭角に刻設することを特徴とする請求項３乃至１３記載のファイリング用具用綴具。
【請求項１５】
係止棒の片面周辺部にリブを設けるとともに径の違う２つの円を一部結合させた形状の穴部が複数形成されることを特徴とする請求項１または２記載のファイリング用具用綴具。
【請求項１６】
係止棒は、矩形状に形成されて外側四辺端部はそれぞれ一方の面である表面に対して垂直外向きにリブが突設されることを特徴とする請求項１または２記載のファイリング用具用綴具。
【請求項１７】
係止棒はその長軸方向に沿って複数個の穴部が予め定められた位置に穿設されて前記穴部は直径の大きい開放径穴部と直径の小さい係止径穴部が一部重なって形成されて、背装部より垂直に突設される突起部に設けられる係止溝部とが係止固定されることを特徴とする請求項１５または１６記載のファイリング用具用綴具。
【請求項１８】
係止棒は軸心を中心とする弧状曲面と平面とからなり背装部より垂直に突設される突起部に背装部の長軸方向と平行に貫通する円形穴部に貫入することを特徴とする請求項１または２記載のファイリング用具用綴具。
【請求項１９】
係止棒は矩形であってその長辺端部全体に突設される複数のリブの相対する面に溝が刻設されて背装部より垂直に突設される突起部に設けられる環状リブと咬合することを特徴とする請求項１記載のファイリング用具用綴具。
【請求項２０】
係止棒は一方の面の両長辺に前記面に垂直に突設されたリブと、前記リブの一方の端部にそれぞれ設けられる長方形の被掛止用穴部と、前記リブの他方の端部に穿設される第１ピン孔とを備え、背装部に垂直に相対して立設される平板と、前記平板の中央に開口される第２ピン孔と、第１ピン孔と第２ピン孔に貫通して係止棒を回動可能に固定するピンと、背装部の他端に設けられる固定部に背装部と垂直に突設されて側面に掛止部を備える第２平板とから構成されて前記掛止部が前記被掛止用穴部に掛止して係止棒を固定することを特徴とする請求項１記載のファイリング用具用綴具。
【請求項２１】
係止棒は複数の円形に刻装される刻装部と、前記刻装部中央に穿設されるスリットと、背装部より突設される環状リブを備える突部とを備えて係止棒を前記突部に固定されることを特徴とする請求項１または２記載のファイリング用具用綴具。
【請求項２２】
係止棒は可撓性を有する可撓性係止棒からなることを特徴とする請求項１乃至２１記載のファイリング用具用綴具。
【手続補正２】
【補正対象書類名】明細書
【補正対象項目名】全文
【補正方法】変更
【補正の内容】
【発明の詳細な説明】
【技術分野】
【０００１】
本発明は、ファイルに関し、特に綴じ穴を有するシートの着脱が容易な綴じ具であって穴綴じするとともに各部品への分解が容易なファイルに関する。
【背景技術】
【０００２】
従来のファイルとしては、例えば、可撓性はあるが伸縮性の小さい合成樹脂で被覆した綴り紐と、帯状板の上面に二条のリブを立設したファイル（実開昭６２−１６２０７０号）や、引出し用の切欠および嵌着用受部を設けた底板を有する箱体と、断面コ状の押さえ具と、箱体の嵌着用受部に嵌着させる嵌着用突部を有する止め具から構成されるファイル（実開昭５４−１５１４２０号）や、ファイル表紙と、係止部と被係止部を備えた帯状部材から形成されるファイル（特開昭６０−１９２６９６号）が提案されている。
【０００３】
これらの提案は、いずれも従来からのファイルの機能を備え、環境保全への対応についての考慮が一部なされているものである。
【０００４】
実開昭６２−１６２０７０号は、部品点数が少なく、金属部品を必要とせず、構成も簡単であるという利点を有するものであるが、ファイルを固定する綴り紐の穴が２つであるため、クリアファイル等のシートを装着した場合に、穴一つ当たりに加わる荷重が大きく固定が不安定であり機能的には不十分となる場合がある。
【０００５】
また、実開昭５４−１５１４２０号は、金属部品を必要とせず、機能的にも複数の穴を備えているため、着実にシート等を固定することができる。一方、部品点数が増加すると共に、着脱が容易とは言い難く、その構造も必ずしも簡単ではない。
【０００６】
さらに、特開昭６０−１９２６９６号は、部品点数も少なく、金属部品を使用することなく、簡単な構造で確実にシートが固定でき、中途からシートの抜き差しや追加が可能である。しかしながら、ファイルの上下から折り畳み式の帯状部材を利用するため、折曲部分に白化などの外観悪化が生じやすく、しかも強度的にも弱くなるという問題があった。
【０００７】
そこで、本発明は、ファイルとして十分機能するためにシートが確実に固定できると共に、中途からの抜差や追加が容易で、使い勝手がよく、なおかつ、部品点数が少なく、素材が多種とならず、構造が簡単な綴じ穴を有するシートの着脱が容易なファイルを提供することにある。
【発明の開示】
【０００８】
本発明は、平板からなる２枚の表装部がその一辺でそれぞれ背装部と連設されて一体となる表紙に対応する係止棒とから構成されて複数のシート穴部を中央に列状に設けられるシートを綴じるファイリング用具用綴具において、前記係止棒と前記表紙との間に前記シートが固定されるように配置されて前記係止棒と前記表紙との間隔を設定する間隔設定手段を備えることにより綴り込むシートの枚数に適したファイリングが可能である。
【０００９】
間隔設定手段は、第一の面と第一の面に背反する第二の面とを有する係止棒がシートを固定する際の各面と表紙との距離によって間隔を設定する。
【００１０】
平板からなる２枚の表装部がその一辺でそれぞれ背装部と連設されて一体となる表紙に対応する係止棒から構成されて複数のシート穴部を中央に列状に設けられるシートを綴じるファイリング用具用綴具において、前記背装部はその表面に複数立設される鍵状係止部を備え、前記シートはそのシート穴部に前記鍵状係止部が貫通されて、係止棒はこの鍵状係止部の位置に対応する位置に複数の括れ部が設けられて、前記各括れ部が前記鍵状係止部に係止されることにより前記係止棒と表紙との間に前記シートが固定されるものである。
【００１１】
ここで、係止棒の括れ部に鍵状係止部が係止されて固定するが、以下の請求項のように鍵状係止部が括れ部を挟持することもできるし、さらに、鍵状係止部が鍔部を備える係止部であって、係止棒の括れ部に穴部を設けて係止させてもよい。
【００１２】
平板からなる２枚の表装部がその一辺でそれぞれ背装部と連設されて一体となる表紙の表側に設けられる背装部より長さの短い帯状背板と背装部裏側に帯状背板に対応する係止棒とから構成されて複数のシート穴部を中央に列状に設けられるシートを綴じるファイリング用具用綴具において、前記背装部は複数の背装穴部が設けられて、帯状背板はその表面に複数立設される鍵状係止部を備え、この鍵状係止部は背装部に設けられた複数の背装穴部を貫通し、前記シートはそのシート穴部に前記鍵状係止部が貫通されて、係止棒はこの鍵状係止部の位置に対応する位置に複数の括れ部が設けられて、前記各括れ部が前記鍵状係止部に係止されることにより前記係止棒と表紙との間に前記シートが固定される。
【００１３】
ここで、帯状背板を利用することで、物品の分解や分別が容易となり、使用後の環境対策が容易となる。
【００１４】
シートは、中央部が圧着されて複数の穴部が設けられるとともに上部に開口部が設けられた透明な袋状に形成されることを特徴とする。ここで、中央部の圧着は、熱溶着または超音波ウェルダーが一般的であるが、接着材を利用した接合でも良く、また、中央部全面を圧着する場合と、一部を溶着する場合を含む。
【００１５】
係止棒は、径が小さい括れ部とこの括れ部より径の大きい押圧部とから構成されることを特徴とする。ここで、括れ部と押圧部の長さの比は固定されるものではないが、押圧部が長ければよりしっかりシートが固定される。
【００１６】
係止棒は、その中央に薄板を挿入して水平移動させるための係着凹部が刻設されることを特徴とする。
【００１７】
括れ部は、結合溝が長軸方向に刻設された係止部と、曲面から構成される円形部とから構成される。
【００１８】
ここで、係止溝の長さは任意であるが、連設される円形部に近接するとともに溝の幅を狭め、また深さを浅くするとよりスムーズに係止溝内を鍵部が移動可能となる。
【００１９】
結合溝は、円形曲面の点対称の４点が切欠けされることを特徴とする。
【００２０】
この結合溝は、より好適には２つの溝が２組で対となる構成であることが望ましい。
【００２１】
押圧部は、括れ部の中心軸線が押圧部の中心軸より特定方向に偏って設けられること（偏心構造）を特徴とする。
【００２２】
ここで、特定方向とは、押圧方向される方向である。この偏りの度合いを調整することでシートの枚数の加減に対応可能である。
【００２３】
鍵状係止部は、その間に係止棒を挟持する挟持部の先端に設けられる鍵部が互いに内側に突出されることを特徴とする。ここで、突出は垂直に突出する場合と、傾斜角をもって突出と両方を備える。
【００２４】
括れ部に刻設された係止部は、その中央に鍵部を係止するようにすべり止め突起部を突設させることを特徴とする。
【００２５】
鍵状係止部は、対向する挟持部の間に挟持部より高さの低い板状のストッパ部が背装部より垂直に突設されることを特徴とする。このストッパ部の高さは、係止棒の円形部によって定まる値であり、任意に構成しうる。
【００２６】
係止棒の結合溝と結合溝底部は係合する帯状背板の鍵状係止部に合わせ鋭角に刻設することを特徴とする。鋭角に刻設することでより係合が強固なものとなる。
【００２７】
係止棒の片面周辺部にリブを設けるとともに径の違う２つの円を一部結合させた形状の穴部が複数形成されることを特徴とする。
【００２８】
係止棒は、矩形状に形成されて外側四辺端部はそれぞれ一方の面である表面に対して垂直外向きにリブが突設されることを特徴とする。
【００２９】
係止棒はその長軸方向に沿って複数個の穴部が予め定められた位置に穿設されて前記穴部は直径の大きい開放径穴部と直径の小さい係止径穴部が一部重なって形成されて、背装部より垂直に突設される突起部に設けられる係止溝部が係止固定されることを特徴とする。
【００３０】
係止棒は軸心を中心とする弧状曲面と平面とからなり背装部より垂直に突設される突起部に背装部の長軸方向と平行に貫通する円形穴部に貫入することを特徴とする。
【００３１】
係止棒は矩形であってその長辺端部全体に突設される複数のリブの相対する面に溝が刻設されて背装部より垂直に突設される突起部に設けられる環状リブと咬合することを特徴とする。
【００３２】
係止棒は一方の面の両長辺に前記面に垂直に突設されたリブと、前記リブの一方の端部にそれぞれ設けられる長方形の被掛止用穴部と、前記リブの他方の端部に穿設される第１ピン孔とを備え、背装部に垂直に相対して立設される平板と、前記平板の中央に開口される第２ピン孔と、第１ピン孔と第２ピン孔に貫通して係止棒を回動可能に固定するピンと、背装部の他端に設けられる固定部に背装部と垂直に突設されて側面に掛止部を備える第２平板とから構成されて前記掛止部が前記被掛止用穴部に掛止して係止棒を固定することを特徴とする。
【００３３】
係止棒は複数の円形に刻装される刻装部と、前記刻装部中央に穿設されるスリットと、背装部より突設される環状リブを備える突部とを備えて係止棒を前記突部に固定されることを特徴とする。
【００３４】
係止棒は可撓性を有する可撓性係止棒からなることを特徴とする。
【発明を実施するための最良の形態】
【００３５】
本発明のその他の詳細、利点および特徴については、添付図面を参照しながら以下に記す６つの実施例によって明らかにされる。
【００３６】
以下、本発明の第１の実施例について図面を参照して詳細に説明する。
【００３７】
ファイル２は、図１に示すようにファイル本体４とファイリング用具用綴具６とを備えている。ファイル本体４とファイリング用具用綴具６は合成樹脂成形品であり、ファイル本体は押出し成形もしくは射出成形、ファイリング用具用綴具は、射出成形等により一体成形されたものである。ファイル本体４は、縦長矩形状の背装部８と、この背装部８を挟んでその長辺側両側に連設された縦長矩形状の一対の表装部１０、１２とを備えている。図２に示すように、背装部８と表装部１０、１２の境界にはファイル本体４の厚みより肉厚が薄くなったＶ字溝からなる第１ヒンジ１４が形成され、この第１ヒンジ１４により表装部１０、１２が背装部８に対して容易に折り曲げ可能、すなわち、開閉可能とされている。
【００３８】
一対の表装部１０、１２における背装部８側の近傍には、同じく断面Ｖ字状の第２ヒンジ１６が第１ヒンジ１４と所定間隔を開けて、かつ、第１ヒンジ１４に平行に形成され、この第２ヒンジ１６により、各表装部１０、１２が折り曲げ可能とされている。背装部８の短辺方向の中央部に長辺方向１列に背装穴部１８が複数設けられる。背装穴部１８は、所定の間隔を開けて配置される。
【００３９】
ファイリング用具用綴具６は、可撓自在な複数箇所で係止可能な可撓性係止棒２０と複数の被係合部を備える帯状背板２２とから構成される。可撓性係止棒２０は、図３〜６に示すように全長が背装部８の長辺とほぼ同一の長さであり、一方の端部に扁平な把持部２４を有し、もう一端に係止端部２６を備える。可撓性係止棒２０の把持部２４と係止端部２６との間には複数の括れ部２８と押圧部３０が交互に連結されて配置される。
【００４０】
この括れ部２８は、背装部８における背装穴部１８に対応する位置に設けられる。括れ部２８は、結合溝が長軸方向に刻設された係止部３２と、曲面から構成される円形部３４とが連結される。係止部３２は、図３のＡ−Ａ断面図である図５（ａ）に示されるように、４隅に結合溝３６が刻設され円形表面３８と結合溝３６が円周方向には交互に配置される。結合溝３６は、括れ部２８の軸方向については、括れ部２８のほぼ中央まで刻設され、押圧部３０側である一端が幅広状に刻まれるのに対して、円形部３４側は、隣接する結合溝３６が隣接しながら先細状に刻まれる（図６）。結合溝３６は結合溝底部５２と直角に刻設させても良いが鋭角に刻設し、係合する帯状背板２２の鍵部６０と角度を合わせることにより、その係合を強固にすることが好ましい。
【００４１】
円形部３４は、図５（ｂ）のＢ−Ｂ断面図に示されるが如く、一切、切欠がなく、滑らかな円形状表面からなる。ここで、係止部３２は円形部３４と同一半径であるか、あるいは係止部３２の半径は円形部３４の半径よりも小さい。図５では、同一半径の例が示されている。また、係止部３２と円形部３４は同軸上に配置される。
【００４２】
押圧部３０は、図５（ｃ１）のＣ−Ｃ断面図に示されるように所定のＲを有する２つのＲ面４４と両長辺でそれぞれ連設される第１底面４６と、Ｒ面４４と接続される２つのテーパ面４８と両長辺でそれぞれ連設されるとともに第１底面４６と平行するように設けられる第２底面５０とを有する。ただし、断面形状は図５（ｃ１）に限定されるものではなく、第１底面と第２底面また、押圧部３０の中心軸は、連結される括れ部２８の中心軸と同軸上ではなく、括れ部２８の中心軸が括れ部２８の外周が第１底面４６と接する程度に第１底面４６側へずれるよう連設される（偏心構造）（図５（ｃ２）、（ｃ３）参照）。
【００４３】
図３に示すように、可撓性係止棒２０の複数の括れ部２８の係止部３２には、その中央に滑り止め突起部３３が突設されている。これは可撓性係止棒２０を係止させた場合に、可撓性係止棒２０が鍵状係止部５６の鍵部６０と係止することで左右に動かぬようにするための滑り止めである。滑り止め突起部３３は、全ての括れ部２８に設けられてもよいし、中央の二つくらいの括れ部２８にのみ設けられてもよい。
【００４４】
また、可撓性係止棒２０には、複数の押圧部３０のうち中央の押圧部３０に係着凹部３５が可撓性係止棒２０の長手方向に垂直に刻設される。この係着凹部３５によって可撓性係止棒２０をスライドさせる際、コイン等を使用すると容易にスライドさせることができる。
【００４５】
一方、ファイリング用具用綴具６のもう一方の構成要素である帯状背板２２は、図７〜９に示すように底板部５４上に複数の鍵状係止部５６が、括れ部２８及び背装穴部１８に対応する位置毎に立設される。この鍵状係止部５６は、２枚の挟持板５８が、底板部５４の短辺方向に並立して互いに対向するように底板部５４上に立設される。挟持板５８は、その上端側部に鍵部６０が垂直に突設され、両挟持板５８の鍵部６０は互いに内向きに向き合うように突設される。または、鍵部６０の端部を下方向に下げて結合溝底部５２をこの鍵部６０と平行となるように挟持板５８に対して鋭角に刻設し、鍵部６０と結合溝底部５２を係合させることにより、その係合を強固にしてもよい。挟持板５８は、その根本では隣接する挟持板５８同士が側板で連設される。また、この２枚の挟持板５８の間には、ストッパ部６２が挟持板５８と平行に立設され、その高さは、鍵部６０の下端より円形部３４の直径程度下となる高さに設定される。また、挟持板５８とストッパ部６２を含む部分である鍵状係止部５６の底面の直径が、背装穴部１８の直径より小さく設定され、鍵状係止部５６が背装穴部１８に挿通可能となるように設計される。ここで、底面の直径とは挟持板５８とストッパ部６２の底板部５４と接合する形状と接する最小の円の直径である。
【００４６】
図８に示す鍵状係止部５６は、ストッパ部６２と底板部５４との接合部分の片側に表装部を係止するための表装係止切欠部６１が設けられている。
【００４７】
このファイルに挿入されるシート６４は、例えば縦長矩形状の中央部６６と、この中央部６６を挟んでその長辺側両側に連設された縦長矩形状の２枚のシートが１辺を除き溶着される袋部６８を１個ずつ備えている。この中央部６６は溶着され、その中央に、括れ部２８と同一間隔すなわち、背装穴部１８と同一間隔に配置されるシート穴部７０が設けられる。シート６４の中央部６６の最下部に、シート６４の上下を確認するためのシート切欠部７１が設けられている。この袋部は、書類等を挿入するための透過フィルムで作成される（図１４）。
【００４８】
以上の要素から構成されるファイル２の使用法を図１０〜１４を用いて、その使用方法について示す。まず、ファイル本体４の背装部８に設けられた背装穴部１８に、帯状背板２２に設けられた鍵状係止部５６が挿入される。さらに、本ファイル２に挿入されるシート６４のシート穴部７０に鍵状係止部５６が挿入される。これで、鍵状係止部５６にファイル本体４とシート６４が固定される。
【００４９】
次に、突出する各鍵状係止部５６に各円形部３４が対応するように可撓性係止棒２０を帯状背板２２上に配置する。そこで、各円形部３４をすべて押圧することで円形部３４が鍵状係止部５６内に挟持される。このとき、円形部３４はストッパ部６２に接触して停止する（図１３（ｂ））。円形部３４の径を係止部３２の径より小さくした例を示しており（図１３（ｂ）、（ｃ））、円形部３４の径が小さくなると鍵状係止部５６より着脱しやすくなる。
【００５０】
さらに、可撓性係止棒２０の把持部２４を水平方向に押圧して、可撓性係止棒２０を軸方向にスライドさせると、鍵部６０の位置が円形部３４から係止部３２へ移動する。このとき、鍵部６０は結合溝３６を咬止する。この状態が図１３（ａ）に示される状態である。
【００５１】
次に、シート６４の枚数が多い場合は、可撓性係止棒２０の把持部２４を水平方向に引いて、可撓性係止棒２０を軸方向にスライドさせると、鍵部６０の位置が係止部３２から円形部３４へ移動する（図１１）。ここで、押圧部３０の第１底面４６がシート６４を押圧するよう下面に配置されると枚数の多いシート６４を固定できる。すなわち、円形部３４の中心軸が押圧部３０の中心軸とずれているため、第１底面４６を下部とすることで回転中心と第１底面４６の距離が短く、第１底面４６の両端がＲ面４４であるためＲ面４４を含めて有効に押圧部３０がシート６４を固定する。
【００５２】
一方、シート６４の枚数が少ない場合は、押圧部３０の第２底面５０がシート６４を押圧するよう下面に配置されると枚数の少ないシート６４を固定できる。この場合は、第２底面５０を下部とすることで、回転中心と第２底面５０の距離が長くなり有効に押圧部３０がシート６４を固定する。以上の底部を決定した後は、可撓性係止棒２０の把持部２４を水平方向に押圧して、可撓性係止棒２０を軸方向にスライドさせると、鍵部６０の位置が円形部３４から係止部３２へ移動し、鍵部６０を結合溝３６で咬止させる。
【００５３】
以上より、シート６４の枚数の多少に応じて可撓性係止棒２０により最適な押圧と固定が可能となる。
【００５４】
次に、シート６４をファイル２から開放するためには、まず、可撓性係止棒２０の係止端部２６を水平方向に押圧して、可撓性係止棒２０を軸方向にスライドさせると、鍵部６０の位置が係止部３２から円形部３４へ移動する。この状態で、把持部２４を引き上げると、容易に端部から順に可撓性係止棒２０の各円形部３４が各鍵状係止部５６から開放される（図１２及び図１３（ｃ））。この方法により、全ての円形部３４が開放された後に、目的のシート６４の脱着が可能となる。
【００５５】
すなわち、本発明に係るファイリング用具用綴具を利用することで、容易にシートの脱着が可能となる。また、複数の鍵状係止部５６でシート６４が固定されるため、ファイリング用具用綴具６が外れることによる、シート６４の離散は発生しない。
【００５６】
また、ファイル２の分別廃棄やリサイクルに当たっては、可撓性係止棒２０を開放後にシート６４を外し、ファイル本体４と帯状背板２２とに分解されるので、容易に廃棄可能であるとともにリサイクルも容易である。また、何れの素材も同一樹脂等で構成できるため、この点でも廃棄が容易である。
【００５７】
上述のような本実施の形態によれば、次のような効果がある。
【００５８】
円形部３４の中心軸が押圧部３０の中心軸をずらしたことにより、シート６４の多少にかかわらず、シート６４の固定が可能となる。また、可撓性係止棒２０と帯状背板２２を組合わせることで確実にシート６４が固定され、一方で容易に着脱もできる。
【００５９】
さらに、ファイル２を構成する部品は、可撓性係止棒２０と帯状背板２２とファイル本体４と少ないため、部品コストおよび製造コストともに低減できる。また、構造も簡単であるため、構造要因の製造工程が削減されるとともに、使用時の故障や破損も低減できる。
【００６０】
その上、ファイル２を構成する部品は、いずれも樹脂で形成され、金属部品を一切必要としないため、製造工程が削減されることによるコストの低減と、廃棄及びリサイクルが容易であり、また本体の軽量化を図ることができる。また、樹脂に混合させる染料を変更することで、様々な色彩を含むデザインの採用が可能となる。
【００６１】
なお、本発明は前記実施形態に限定されるものではなく、本発明の目的を達成できる範囲での変形、改良は、本発明に含まれるものである。例えば、前記実施形態において、帯状背板２２とファイル本体４とは別々の構成としたが、これに限らない。すなわち、ファイル本体４に予め鍵状係止部５６を立設させて一体化させることも可能である。確実に可撓性係止棒２０が係止できればいずれの構成でもよい。ただし、本実施形態のように別々の構成とすることで、射出成型用金型をいたずらに複雑化させないことによるコスト低減や、別物品とすることによる剛性の維持ができることで、本実施例が好ましい。
【００６２】
本発明の実施例では、鍵状係止部５６および括れ部２８の数を６個としたが、この個数に限定されるものではなく、２個以上ならば構成可能であるが３個以上が望ましく、施装可能な数であればいかなる数であってもよい。
【００６３】
また、１つのファイル本体に複数組の綴具部を平行に設けてより多くのシートを綴じることが可能になる。図１５には、２組の綴具部を設けた例のファイル本体８０を示す。背装部８２には２列の背装穴部８４が背装部８２の長辺方向に平行に設けられており、単一のヒンジ８３で表装部８８と背装部８２とが折れ曲がるように構成されている。図１６には、ファイルの表装部８８に２組のシート８６を綴じた場合の全体図を示す。
【００６４】
さらに、押圧部３０の断面は２つの平面を含む形状としたが、一方をＲ面とすることや、平面の数をさらに増加させて３面や４面とすることでより、枚数による押圧方法の調整が可能となるよう構成してもよい。
【００６５】
そして、鍵部６０と結合溝３６との突設角度及び刻設角度を急傾斜としてその係止を強固な固定に変更することもできる。
【００６６】
また、本発明を構成する合成樹脂は、ファイルを成形できるものであれば特に限定はない。例えば、ポリプロピレン、プロピレン−エチレンランダム共重合体、プロピレン−エチレンブロック共重合体、ポリエチレン等のポリオレフィン系樹脂を採用することもできる。さらに、これら各樹脂にタルクや炭酸カルシウム等の充填材、酸化チタン等の着色剤、その他の安定剤、核剤等を添加してもよい。
【００６７】
本発明のファイリング用具用綴具の第２の実施例を図１７から１９に示す。
【００６８】
図１７（ａ）は係止棒１００の背面図であり、（ｂ）は係止棒１００の正面図、（ｃ）はＡ−Ａ’線の断面図である。矩形状の係止棒１００の外側四辺端部はそれぞれ一方の面である背面１０５に対して垂直外向きにリブ１０２が突設される。係止棒１００の背面１０５に、係止棒１００の長軸方向に沿って穴部１０３が複数個が予め定められた位置に穿設されている。穴部１０３は、直径の大きい開放径穴部１０４と直径の小さい係止径穴部１０６とが一部重なった状態に形成される。この開放径穴部１０４と係止径穴部１０６の接合部にはいずれの直径よりも小さい幅Ｙを有する括れ部１０９が設けられる。この括れ部１０９の両外側にたわみ用肉盗み穴部１０１が刻設されている（図１７（ｄ））。
【００６９】
図１７（ｅ）は帯状背板１２０の側面図である。帯状背板１２０は、係止棒１００における穴部１０３と同数の円筒形の突起部１１６が底板部１１８の一方の面に対して垂直方向に穴部１０３に対応する位置に突設される。
【００７０】
突起部１１６は上から頭頂部１１０と、その下部に頭頂部１１０より直径が小さい係止溝部１１２と、さらにその下に軸部１１４とから構成される。係止溝部１１２の直径Ｚは括れ部１０９の幅Ｙより若干大きく設定されている。
【００７１】
係止棒１００は可撓性の材質で構成することもできるが、好適には剛性を有する材質で構成される。
【００７２】
次に図１８、１９を用いて本実施例の作用について説明する。
【００７３】
図１８（ａ）には、係止棒１００の正面が外向きとなり突起部１１６が開放径穴部１０４側に位置する状態、（ｂ）係止棒１００の正面が外向きとなり突起部１１６が係止径穴部１０６側に位置する状態を示している。図１８（ｃ）には、係止棒１００の背面が外向きとなり突起部１１６が係止径穴部１０６側に位置する状態を示す。
【００７４】
表装部１２２の背装部とシート１２４には帯状背板１２０の突起部１１６に対応した位置に穴が設けられている。突起部１１６を表装部１２２の穴部とシートの穴部に挿入した後、さらに係止棒１００の開放径穴部１０４に挿入し、係止棒１００を長軸方向の係止径穴部１０６方向へスライドさせて突起部１１６を係止径穴部１０６に係止固定する。
【００７５】
図１９（ａ）は図１８（ａ）のＢ−Ｂ’線の断面図であり、シート１２４が少ない場合に綴じられている状態である。係止棒１００は正面１０７を表装部１２２に対して外側にして綴じられている。図１９（ｂ）は同じく図１８（ｂ）のＣ−Ｃ’線の断面図である。シートが多い場合、係止棒１００の表裏を逆にして背面１０５を表装部１２２に対して外側にして綴じられている。
【００７６】
係止棒１００の穴部１０３は括れ部１０９が設けられていることにより、開放から係止状態、係止状態から開放へ係止棒１００をスライドさせて操作する際、適度な乗り上げ感を作り出している。
【００７７】
上記スライド操作時の適度な乗り上げ感と繰り返しの摩擦による乗り上げ感の変化を少なくするため、係止棒１００の外側にたわみ用肉盗み穴１０１が設けられる。
【００７８】
係止棒１００は片面が周辺部が持ち上がったリブ構造に設けられているため、綴じた状態でそのリブ１０２が突起部１１６の溝部１１２より表装部１２２側に向かっているとき（図１９（ａ））、より少ないシートを動かないように綴じることができ、リブ１０２が溝部１１２より上に向いているとき（図１９（ｂ））、より多くのシートを綴じることができる。
【００７９】
本発明のファイリング用具用綴具の第３の実施例を図２０に示す。
【００８０】
図２０（ａ）は係止棒１４０の正面図である。係止棒１４０は一端にフック用穴部１４２が穿設されている。もう片方の一端には係止棒１４０より少し幅の広いストッパー１５６が設けられている。図２０（ｂ）はＡ−Ａ’線の断面図である。係止棒１４０はその断面が半円形であり、曲面１４４と平面１４６から構成される。図２０（ｃ）は帯状背板１４８の側面図である。底板部１５２上に、予め定められた間隔で突起部１５０が底板部１５２に対して垂直に突設される。突起部１５０はその上部に底板部１５２の長軸方向と平行に円形穴部１５４が穿設される。底板部１５２の一方の端部にフック部１６０が突起部１５０と平行に突設される。このフック部１６０をフック用穴部１４２に挿入し係止棒を固定する。
【００８１】
図２０（ｄ）（ｅ）（ｆ）で本実施例の作用について説明する。
【００８２】
係止棒１４０がフック用穴部１４２のある端部からフック部１６０とは反対側の突起部１５０の円形穴部１５４から底板部１５２に平行に挿入される。係止棒１４０のフック用穴部１４２を有する先端がフック部１６０近傍まで到達すると、係止棒１４０のフック用穴部１４２にフック部１６０が挿入される。その際のフック部１６０と隣接する突起部１５０の断面図を図１８（ｄ）に示す。フック用穴部１４２にフック部１６０を挿入し、係止棒１４０を固定する。ここで、フック部１６０の先端の係止部１６１はフック部１６０の中央より径が太くフック用穴部１４２に挿入後係止する。
【００８３】
図２０（ｅ）（ｆ）は突起部頂部から底板部１５２方向に底板部１５２の長手方向と垂直に切断した場合の断面図を示し、（ｅ）はシート１６２が少ない場合に綴じられている状態を示している。係止棒１４０はその曲面１４４が表装部１６６側に面するように円形穴部１５４に挿入されている。曲面１４４を表装部１６６側に面するようにすると円形穴部１５４において係止棒１４０が表装部１６６側に配置されて係止棒１４０と表装部１６６の間隔が短くなる。図２０（ｆ）はシートが多い場合、係止棒１４０の表裏を逆にして、つまり、曲面１４４を表装部１６６に対して外側にして円形穴部１５４に挿入される。平面１４６を表装部１６６側に面するようにすると円形穴部１５４において係止棒１４０は表装部１６６と反対側に配置されて挿入することで係止棒１４０と表装部１６６の間隔が長くなる。つまり、係止棒１４０の断面を半円形にすることで、表裏で背装部表面と係止棒１４０との距離を変えられる。
【００８４】
係止棒１４０は可撓性に富んだ素材で構成されてもよいが、より好適にはフック部１６０を樹脂弾性で係止、解除するためナイロン等の弾性に富んだ剛性樹脂素材を使用するのが望ましい。
【００８５】
本発明のファイリング用具用綴具の第４の実施例を図２１に示す。
【００８６】
図２１（ａ）は係止棒１８０の正面図であり、図２１（ｂ）はＡ−Ａ’線の断面図である。係止棒１８０は一方の面１８１の両長辺に前記面１８１に垂直に突設されたリブ１８３、１８５を備え、両リブ１８３、１８５の相対する面に２本の溝部１８２、１８４が刻設される。２本の溝部のうち前記面１８１に近い方を内側溝部１８２、前記面と離れた方を外側溝部１８４とする。
【００８７】
図２１（ｃ）は帯状背板１８６の側面図である。底板部１８８上の予め定められた間隔で円筒形の突起部１９０が一方の面に垂直に突設される。突起部１９０はその頂部とその下部に２枚の環状リブが設けられている。その環状リブを突起部１９０の頂部から順に第１環状リブ１９２、第２環状リブ１９４とする。係止棒１８０の内側溝部１８２と外側溝部１８４に咬合するよう同等のサイズに設定される。
【００８８】
次に本実施例の作用について説明する。
【００８９】
係止棒１８０は帯状背板１８６のいずれか一方の端部の突起部１９０からスライドさせて係止及び開放させる。
【００９０】
図２１（ｄ）では、シートの枚数が少ない場合、突起部１９０の頂部が面１８１と接するように突起部１９０が係止棒１８０に挿入されており、内側溝部１８２と第１環状リブ１９２、外側溝部１８４と第２環状リブ１９４が咬合する。図２１（ｅ）では、シート枚数を増やした場合、突起部１９０の頂部と面１８１とが隔離した状態で挿入する。つまり、外側溝部１８４と第１環状リブ１９２が咬合する。
【００９１】
係止棒１８０は合成樹脂による射出成形でも可能であるが、初期投資金額の安価な押し出し成形が好適である。また、係止棒１８０は可撓性を有する素材から構成されることもできるが、好適には剛性を有する素材から構成されることが望ましい。
【００９２】
本発明のファイリング用具用綴具の第５の実施例を図２２を用いて説明する。
【００９３】
図２２（ａ）に示すように、係止棒２００は一方の面の両長辺に前記面に垂直に突設されたリブ２０４、２０６を備え、両リブ２０４、２０６の一方の端部にそれぞれ長方形の被掛止用穴部２０２が設けられる。係止棒２００の他方の端部にも、両リブ２０４、２０６を貫通する貫通孔２２１、２２３が穿設される。一方、表紙２０９の背装部に垂直に平板２２５、２２７が相対して立設される。前記平板２２５、２２７の中央にも貫通孔２２１、２２３に対応する貫通孔２２９、２３１が開口され、貫通孔２２１、２２３と貫通孔２２９、２３１はピン２３３により固定され係止棒２００がピン２３３を中心に回動可能に固定される。
【００９４】
表紙２０９の背装部及びシート２１６の背装部に対応する部分には複数の穴部２１８が予め定められた間隔で設けられる。帯状背板２０７は、底板部２０８上に円筒形の突起部２１４が穴部２１８と同数、穴部２１８に対応する間隔で設けられる。
【００９５】
図２２（ｃ）に、固定具２１０の拡大図を示す。固定具２１０は係止棒２００の被掛止用穴部２０２に掛止するための２枚の平板部２１３を備えている。表紙２０９に取り付けられる底部２１１から垂直に２枚の平板部２１３が係止棒２００と平行に突設され、その平板部２１３の上部には両平板部と互いに反対側に向けてテーパー状の掛止部２１２が設けられている。２枚の平板部２１３の間隔は係止棒２００のリブ２０４、２０６の間に挿入できる幅に設定されている。
【００９６】
底板部２０８に平板２２５、２２７と反対側端部であって固定具２１０よりさらに所定の間隔を設けて押え部２１５が立設される。図２２（ｃ）に示すように、押え部２１５の両側面に平板２２５、２２７方向へ側面テーパー部２２２が形成される。傾斜方向は係止棒２００の長軸方向に向かってその先端がすぼまるようにテーパーが形成される。
【００９７】
図２２（ｄ）（ｅ）で本実施例の作用について説明する。
【００９８】
表紙２０９とシート２１６の穴部２１８を突起部２１４に挿入し、ピン２３３を軸に係止棒２００が回動して被係止用穴部２０２が平板部２１３に掛止し、リブ２０４、２０６がシート２１６を押圧することによってシート２１６を固定する。シート２１６を綴じて係止棒２００を閉じた状態の突起部２１４を含む部分の断面図を図２２（ｄ）に示す。
【００９９】
図２２（ｅ）は係止棒２００が閉じられている状態の掛止部２１２を含む位置の断面図である。掛止部が被掛止用穴部２０２に掛止され係止棒２００がはずれるのを防ぐ。
【０１００】
係止棒２００を掛止部２１２から外す場合、押え部２１５を背面から係止棒２００に押圧すると、両側面テーパー部２２２が係止棒２００のリブ２０４、２０６を外方向にたわませる。このため被掛止用穴部２０２が掛止部２１２から開放されて、容易に係止棒２００を取り外すことができる。
【０１０１】
係止棒２００は可撓性を有する材質で構成されることもできるが、好適には剛性を有する材質で構成されることが望ましい。
【０１０２】
本発明のファイリング用具用綴具の第６の実施例を図２３（ａ）〜（ｄ）を用いて説明する。
【０１０３】
可撓性係止棒２４０は図２３（ａ）に示すように予め定められた間隔で複数の開口部２４４が設けられている。開口部２４４は円形状に刻装されている。その刻装部２４９の中央に丸穴部２４８が設けられ、各丸穴部２４８と同軸状に、可撓性係止棒２４０の長軸方向と平行に直線状に２つのスリット部２４６、２４７が設けられている（図２３（ｂ））。シート２５０及び表紙２５２の背装部には開口部２４４と同数で同じ間隔の穴部２４２、２４３が設けられている。
【０１０４】
帯状背板２６０は底板部２６８と突起部２６２からなり、突起部２６２は軸部２６６の先端にテーパー状のリブ２６４とからなる。リブ２６４の径はスリット部２４６、２４７の長さＺとほぼ同等に設定する。軸部２６６の径は丸穴部２４８の径とほぼ同程度に設定する。
【０１０５】
本実施例の作用を説明する。
【０１０６】
帯状背板２６０の突起部２６２を表紙２５２及びシート２５０の穴部２４３、２４２に挿入し、可撓性係止棒２４０の開口部２４４に挿入する。スリット部２４６、２４７が開くことにより、丸穴部２４８より径の大きいリブ２６４を挿入することができ、またスリット部２４６、２４７が閉じているとき突起部２６２から可撓性係止棒２４０がはずれるのを防ぐ。
【０１０７】
ファイルを係止する際に可撓性係止棒２４０の表裏を使い分けることにより、綴じることのできるシートの厚みが変わる。図２３（ｃ）で、シートの枚数が少ない場合の綴具部断面図を示す。刻装部２４９の面をシート側にすると突起部２６２のリブ２６４の下面が刻装部２４９と反対側の面に接し、刻装部の深さ分だけ表紙２５２と可撓性係止棒２４０との距離が小さくなり、少ない枚数のシート２５０を綴じることができる。図２３（ｄ）で、シート追加時の綴具部断面図を示す。刻装部２４９と反対側の面をシート側にすると開口部２４４にはめ込まれたリブ２６４の下面が刻装部２４９の底面に接し、可撓性係止棒２４０と表紙２５２との距離が大きくなって多くのシート２５０を綴じることができる。
【０１０８】
可撓性係止棒２４０はポリエチレン等の柔らかい素材で構成される。
【図面の簡単な説明】
【０１０９】
【図１】本発明に係るファイリング用具用綴具の第１の実施例を示す全体図である。
【図２】本発明に係るファイリング用具用綴具の第１の実施例を示す表紙の平面図である。
【図３】本発明に係るファイリング用具用綴具における係止棒の第１の実施例を示す正面図である。
【図４】本発明に係るファイリング用具用綴具における係止棒の実施例を示す側面図である。
【図５】本発明に係るファイリング用具用綴具における係止棒の実施例を示す（ａ）Ａ−Ａ断面図、（ｂ）Ｂ−Ｂ断面図、（ｃ１）Ｃ−Ｃ断面図、（ｃ２）上底面が下底面より幅広であるＣ−Ｃ断面図、（ｃ３）上底面の幅と下底面の幅が略等しいＣ−Ｃ断面図、（ｄ）右側面図である。
【図６】本発明に係るファイリング用具用綴具における係止棒の実施例を示す詳細図である。
【図７】本発明に係るファイリング用具用綴具における帯状背板の実施例を示す正面図である。
【図８】本発明に係るファイリング用具用綴具における帯状背板の実施例を示す側面図である。
【図９】本発明に係るファイリング用具用綴具における帯状背板の実施例を示す（ａ）Ａ−Ａ断面図、（ｂ）Ｂ−Ｂ断面図である。
【図１０】本発明に係るファイリング用具用綴具の実施例を示す背面図である。
【図１１】本発明に係るファイリング用具用綴具の実施例を示す詳細図である。
【図１２】本発明に係るファイリング用具用綴具の実施例を示す詳細図である。
【図１３】本発明に係るファイリング用具用綴具の実施例を示し、（ａ）鍵状係止部５６が係止部３２にある際の断面図、（ｂ）鍵状係止部５６が円形部３４にある際の断面図、（ｃ）円形部３４が鍵状係止部５６から開放される断面図である。
【図１４】本発明に係るファイリング用具用綴具の第１の実施例のシートを示す構成図である。
【図１５】本発明に係るファイリング用具用綴具の第１の実施例の綴具部を複数にした例を示す表紙の平面図である。
【図１６】本発明に係るファイリング用具用綴具の第１の実施例の綴具部を複数にした例を示す全体図である。
【図１７】本発明に係るファイリング用具用綴具の第２の実施例を示し、（ａ）係止棒の裏面図、（ｂ）係止棒の正面図、（ｃ）係止棒の開放径穴部の断面図、（ｄ）係止棒の裏面の穴部拡大図（ｅ）帯状背板の側面図である。
【図１８】本発明に係るファイリング用具用綴具の第２の実施例を示し、（ａ）シートが少ない場合の綴具部拡大図であり、突起部が開放径穴部側にある状態を示した図、（ｂ）シートが少ない場合の綴具部拡大図であり、突起部が係止径穴部で係止した状態を示した図、（ｃ）シート追加時の綴具部拡大図であり、突起部が係止径穴部で係止した状態を示した図である。
【図１９】本発明に係るファイリング用具用綴具の第２の実施例を示し、（ａ）シートが少ない場合の綴具部断面図、（ｂ）シート追加時の綴具部断面図である。
【図２０】本発明に係るファイリング用具綴具の第３の実施例を示し、（ａ）係止棒の正面図、（ｂ）係止棒の断面図、（ｃ）帯状背板の側面図、（ｄ）係止部横断面図、（ｅ）シートが少ない場合の綴具部断面図、（ｆ）シート追加時の綴具部断面図である。
【図２１】本発明に係るファイリング用具用綴具の第４の実施例を示し、（ａ）係止棒の正面図、（ｂ）係止棒の断面図、（ｃ）帯状背板の側面図、（ｄ）シートが少ない場合の綴具部断面図、（ｅ）シート追加時の綴具部断面図である。
【図２２】本発明に係るファイリング用具用綴具の第５の実施例を示し、（ａ）ファイルの構成図、（ｂ）係止棒の支点拡大図、（ｃ）掛止部拡大図、（ｄ）シートを綴じて係止棒を閉じた状態の突起部を含む部分の断面図、（ｅ）係止棒が閉じられている状態の掛止部を含む位置の断面図である。
【図２３】本発明に係るファイリング用具用綴具の第６の実施例を示し、（ａ）ファイルの構成図、（ｂ）可撓性係止棒の刻装部の拡大図（ｃ）シートが少ない場合の綴具部断面図、（ｄ）シート追加時の綴具部断面図である。
【手続補正書】
【提出日】平成18年2月4日(2006.2.4)
【手続補正１】
【補正対象書類名】明細書
【補正対象項目名】００７５
【補正方法】変更
【補正の内容】
【００７５】
図１９（ａ）は図１８（ｂ）のＢ−Ｂ’線の断面図であり、シート１２４が少ない場合に綴じられている状態である。係止棒１００は正面１０７を表装部１２２に対して外側にして綴じられている。図１９（ｂ）は同じく図１８（ｃ）のＣ−Ｃ’線の断面図である。シートが多い場合、係止棒１００の表裏を逆にして背面１０５を表装部１２２に対して外側にして綴じられている。
【手続補正２】
【補正対象書類名】明細書
【補正対象項目名】００９０
【補正方法】変更
【補正の内容】
【００９０】
図２１（ｄ）では、表紙１９６に積層されたシート１９８の枚数が少ない場合、突起部１９０の頂部が面１８１と接するように突起部１９０が係止棒１８０に挿入されており、内側溝部１８２と第１環状リブ１９２、外側溝部１８４と第２環状リブ１９４が咬合する。図２１（ｅ）では、シート枚数を増やした場合、突起部１９０の頂部と面１８１とが隔離した状態で挿入する。つまり、外側溝部１８４と第１環状リブ１９２が咬合する。
【手続補正３】
【補正対象書類名】明細書
【補正対象項目名】００９３
【補正方法】変更
【補正の内容】
【００９３】
図２２（ａ）に示すように、係止棒２００は一方の面の両長辺に前記面に垂直に突設されたリブ２０４、２０６を備え、両リブ２０４、２０６の端部にそれぞれ長方形の被掛止用穴部２０２が設けられる。一方、表紙２０９の背装部に垂直に平板２２５、２２７が相対して立設される。前記平板２２５、２２７の中央に貫通孔２２９、２３１が開口され、貫通孔２２９、２３１はピン２３３により固定され係止棒２００がピン２３３を中心に回動可能に固定される。
【手続補正４】
【補正対象書類名】明細書
【補正対象項目名】０１０９
【補正方法】変更
【補正の内容】
【０１０９】
【図１】本発明に係るファイリング用具用綴具の第１の実施例を示す全体図である。
【図２】本発明に係るファイリング用具用綴具の第１の実施例を示す表紙の平面図である。
【図３】本発明に係るファイリング用具用綴具における係止棒の第１の実施例を示す正面図である。
【図４】本発明に係るファイリング用具用綴具における係止棒の実施例を示す側面図である。
【図５】本発明に係るファイリング用具用綴具における係止棒の実施例を示す（ａ）Ａ−Ａ断面図、（ｂ）Ｂ−Ｂ断面図、（ｃ１）Ｃ−Ｃ断面図、（ｃ２）上底面が下底面より幅広であるＣ−Ｃ断面図、（ｃ３）上底面の幅と下底面の幅が略等しいＣ−Ｃ断面図である。
【図６】本発明に係るファイリング用具用綴具における係止棒の実施例を示す詳細図である。
【図７】本発明に係るファイリング用具用綴具における帯状背板の実施例を示す正面図である。
【図８】本発明に係るファイリング用具用綴具における帯状背板の実施例を示す側面図である。
【図９】本発明に係るファイリング用具用綴具における帯状背板の実施例を示す図８の（ａ）Ａ−Ａ断面図、（ｂ）Ｂ−Ｂ断面図である。
【図１０】本発明に係るファイリング用具用綴具の実施例を示す背面図である。
【図１１】本発明に係るファイリング用具用綴具の実施例を示す詳細図である。
【図１２】本発明に係るファイリング用具用綴具の実施例を示す詳細図である。
【図１３】本発明に係るファイリング用具用綴具の実施例を示し、（ａ）鍵状係止部５６が係止部３２にある際の断面図、（ｂ）鍵状係止部５６が円形部３４にある際の断面図、（ｃ）円形部３４が鍵状係止部５６から開放される断面図である。
【図１４】本発明に係るファイリング用具用綴具の第１の実施例のシートを示す構成図である。
【図１５】本発明に係るファイリング用具用綴具の第１の実施例の綴具部を複数にした例を示す表紙の平面図である。
【図１６】本発明に係るファイリング用具用綴具の第１の実施例の綴具部を複数にした例を示す全体図である。
【図１７】本発明に係るファイリング用具用綴具の第２の実施例を示し、（ａ）係止棒の裏面図、（ｂ）係止棒の正面図、（ｃ）係止棒の開放径穴部の断面図、（ｄ）係止棒の裏面の穴部拡大図（ｅ）帯状背板の側面図である。
【図１８】本発明に係るファイリング用具用綴具の第２の実施例を示し、（ａ）シートが少ない場合の綴具部拡大図であり、突起部が開放径穴部側にある状態を示した図、（ｂ）シートが少ない場合の綴具部拡大図であり、突起部が係止径穴部で係止した状態を示した図、（ｃ）シート追加時の綴具部拡大図であり、突起部が係止径穴部で係止した状態を示した図である。
【図１９】本発明に係るファイリング用具用綴具の第２の実施例を示し、（ａ）シートが少ない場合の綴具部断面図、（ｂ）シート追加時の綴具部断面図である。
【図２０】本発明に係るファイリング用具用綴具の第３の実施例を示し、（ａ）係止棒の正面図、（ｂ）係止棒の断面図、（ｃ）帯状背板の側面図、（ｄ）係止部横断面図、（ｅ）シートが少ない場合の綴具部断面図、（ｆ）シート追加時の綴具部断面図である。
【図２１】本発明に係るファイリング用具用綴具の第４の実施例を示し、（ａ）係止棒の正面図、（ｂ）係止棒の断面図、（ｃ）帯状背板の側面図、（ｄ）シートが少ない場合の綴具部断面図、（ｅ）シート追加時の綴具部断面図である。
【図２２】本発明に係るファイリング用具用綴具の第５の実施例を示し、（ａ）ファイルの構成図、（ｂ）係止棒の支点拡大図、（ｃ）掛止部拡大図、（ｄ）シートを綴じて係止棒を閉じた状態の突起部を含む部分の断面図、（ｅ）係止棒が閉じられている状態の掛止部を含む位置の断面図である。
【図２３】本発明に係るファイリング用具用綴具の第６の実施例を示し、（ａ）ファイルの構成図、（ｂ）可撓性係止棒の刻装部の拡大図（ｃ）シートが少ない場合の綴具部断面図、（ｄ）シート追加時の綴具部断面図である。
【手続補正５】
【補正対象書類名】図面
【補正対象項目名】全図
【補正方法】変更
【補正の内容】
【図１】
2004096575.tif 000026
【図２】
2004096575.tif 000027
【図３】
2004096575.tif 000028
【図４】
2004096575.tif 000029
【図５】
2004096575.tif 000030
【図６】
2004096575.tif 000031
【図７】
2004096575.tif 000032
【図８】
2004096575.tif 000033
【図９】
2004096575.tif 000034
【図１０】
2004096575.tif 000035
【図１１】
2004096575.tif 000036
【図１２】
2004096575.tif 000037
【図１３】
2004096575.tif 000038
【図１４】
2004096575.tif 000039
【図１５】
2004096575.tif 000040
【図１６】
2004096575.tif 000041
【図１７】
2004096575.tif 000042
【図１８】
2004096575.tif 000043
【図１９】
2004096575.tif 000044
【図２０】
2004096575.tif 000045
【図２１】
2004096575.tif 000046
【図２２】
2004096575.tif 000047
【図２３】
2004096575.tif 000048
【国際調査報告】
2004096575.tif 000049
2004096575.tif 000050
2004096575.tif 000051
2004096575.tif 000052
2004096575.tif 000053